(57)【要約】      （修正有）【課題】採光シートとともに用いることにともなって生じ得る、種々の問題に対処する光制御具を提供する。【解決手段】光制御具４０は、入射光の進行方向を変えて透過させる採光シート２０と、対面する位置に配置され、第１方向ｄ１に配列された複数のスラット材５０を有する。各スラット材５０は、第１方向ｄ１と非平行な第２方向ｄ２に延びる。少なくとも一部のスラット材５０の第１方向ｄ１において第１の側を向く第１面５１が、光拡散反射性を有する。【選択図】図２
2019039151.tif 000002
【特許請求の範囲】
【請求項１】
入射光の進行方向を変えて透過させる採光シートと、対面する位置に配置される光制御具であって、
第１方向に配列された複数のスラット材を備え、
各スラット材は、前記第１方向と非平行な第２方向に延び、
少なくとも一部のスラット材の前記第１方向において第１の側を向く第１面が、光拡散反射性を有する、光制御具。
【請求項２】
前記少なくとも一部のスラット材の前記第１面での拡散反射成分比は、９５％以上である、請求項１に記載の光制御具。
【請求項３】
前記少なくとも一部のスラット材の前記第１面での拡散反射成分比は、当該スラット材の前記第１方向における前記第１の側とは反対側となる第２の側を向く第２面での拡散反射成分比よりも高い、請求項１又は２に記載の光制御具。
【請求項４】
前記少なくとも一部のスラット材の前記第１面での反射光の強度の角度分布において、最高強度が得られる方向に対して両側に３０度以下の任意の角度で傾斜した方向での強度が、最高強度の１０％以上である、請求項１〜３のいずれか一項に記載の光制御具。
【請求項５】
前記少なくとも一部のスラット材は、前記複数のスラット材の中で前記第１方向における前記第１の側とは反対側となる第２の側に配置されている、請求項１〜４のいずれか一項に記載の光制御具。
【請求項６】
前記光制御具は、一部分において前記採光シートに対面する位置に配置され、
前記少なくとも一部のスラット材は、前記採光シートに対面して位置する、請求項１〜５のいずれか一項に記載の光制御具。
【請求項７】
入射光の進行方向を変えて透過させる採光シートと、対面する位置に配置される光制御具であって、
第１方向に配列された複数のスラット材を備え、
各スラット材は、前記第１方向と非平行な第２方向に延び、
少なくとも一部のスラット材は、光拡散透過性を有する、光制御具。
【請求項８】
前記少なくとも一部のスラット材の拡散透過成分比は、９０％以上である、請求項７に記載の光制御具。
【請求項９】
前記少なくとも一部のスラット材の透過光の強度の角度分布において、最高強度が得られる方向に対して両側に３０度以下の任意の角度で傾斜した方向での強度が、最高強度の２０％以上である、請求項７又は８に記載の光制御具。
【請求項１０】
前記少なくとも一部のスラット材は、前記複数のスラット材の中で前記第１方向における第２の側に配置されている、請求項８又は９に記載の光制御具。
【請求項１１】
前記光制御具は、一部分において前記採光シートに対面する位置に配置され、
前記少なくとも一部のスラット材は、前記採光シートに対面して位置する、請求項８〜１０のいずれか一項に記載の光制御具。
【請求項１２】
入射光の進行方向を変えて透過させる採光シートと、一部分において対面する位置に配置される光制御具であって、
第１方向に配列された複数のスラット材を有し、
各スラット材は、前記第１方向と非平行な第２方向に延び、
前記採光シートに対面する位置に配置されるスラット材の前記第１方向において第１の側を向く第１面での反射率が、前記採光シートに対面しない位置に配置されるスラット材の前記第１面での反射率よりも、低い、光制御具。
【請求項１３】
前記採光シートに対面する位置に配置されるスラット材の前記第１面での反射率は、３０％以上７０％以下である、請求項１２に記載の光制御具。
【請求項１４】
前記採光シートに対面する位置に配置されるスラット材の前記第１方向において第１の側を向く第１面での反射率は、前記採光シートに対面しない位置に配置されるスラット材の前記第１面での反射率の５０％以上７０％以下となっている、請求項１２又は１３に記載の光制御具。
【請求項１５】
前記採光シートに対面する位置に配置されるスラット材の前記第１面での反射率は、当該スラット材の前記第１方向における前記第１の側とは反対側となる第２の側を向く第２面での反射率よりも大きい、請求項１２〜１４のいずれか一項に記載の光制御具。
【請求項１６】
入射光の進行方向を変えて透過させる採光シートと、対面する位置に配置される光制御具であって、
第１方向に配列された複数のスラット材を有し、
各スラット材は、前記第１方向と非平行な第２方向に延び、
少なくとも一部のスラット材について、前記第２方向に直交する面での当該スラット材の両端部間の距離ｈに対する前記スラット材の前記第１方向への配置ピッチｄの比の値（ｄ／ｈ）は、０．７５以下である、光制御具。
【請求項１７】
各スラット材は、前記第１方向と非平行な軸線を中心として回転可能に支持され、
前記少なくとも一部のスラット材についての前記比の値（ｄ／ｈ）は、０．５よりも大きい、請求項１６に記載の光制御具。
【請求項１８】
前記少なくとも一部のスラット材は、前記複数のスラット材の中で前記第１方向における第２の側に配置されている、請求項１６又は１７に記載の光制御具。
【請求項１９】
前記光制御具は、一部分において前記採光シートに対面する位置に配置され、
前記少なくとも一部のスラット材は、前記採光シートに対面して位置する、請求項１６〜１８のいずれか一項に記載の光制御具。
【請求項２０】
入射光の進行方向を変えて透過させる採光シートと、対面する位置に配置される光制御具であって、
第１方向に配列された複数のスラット材を有し、
各スラット材は、前記第１方向と非平行な第２方向に延び、
或る隣り合う二つのスラット材に関する前記第２方向に直交する面での当該スラット材の両端部間の距離ｈに対する前記スラット材の前記第１方向への配置ピッチｄの比の値（ｄ／ｈ）は、前記或る隣り合う二つのスラット材とは異なる他の隣り合う二つのスラット材に関する前記比の値（ｄ／ｈ）と、異なる、光制御具。
【請求項２１】
前記或る隣り合う二つのスラット材についての配置ピッチｄは、前記他の隣り合う二つのスラット材についての配置ピッチｄと異なる、請求項２０に記載の光制御具。
【請求項２２】
前記第１方向に連続して配列された少なくとも一部のスラット材のうちの、任意に選択される隣り合う二つのスラット材に関する前記比の値（ｄ／ｈ）は、前記少なくとも一部のスラット材のうちの、当該隣り合う二つのスラット材よりも前記第１方向における第１の側に位置する他の隣り合う二つのスラット材に関する前記比の値（ｄ／ｈ）以下である、請求項２０又は２１に記載の光制御具。
【請求項２３】
前記第１方向に連続して配列された少なくとも一部のスラット材のうちの、任意に選択される隣り合う二つのスラット材に関する前記配置ピッチｄは、前記少なくとも一部のスラット材のうちの、当該隣り合う二つのスラット材よりも前記第１方向における第１の側に位置する他の隣り合う二つのスラット材に関する前記配置ピッチｄ以下である、請求項２０〜２２のいずれか一項に記載の光制御具。
【請求項２４】
前記少なくとも一部のスラット材は、前記複数のスラット材の中で前記第１方向における前記第１の側とは反対側となる第２の側に配置されている、請求項２２又は２３に記載の光制御具。
【請求項２５】
前記光制御具は、一部分において前記採光シートに対面する位置に配置され、
前記少なくとも一部のスラット材は、前記採光シートに対面して位置する、請求項２２〜２４のいずれか一項に記載の光制御具。
【請求項２６】
各スラット材は、前記第１方向と非平行な軸線を中心として回転可能に支持され、
任意に選択される二つのスラット材に関する前記比の値（ｄ／ｈ）は、０．８５以下である、請求項２０〜２５いずれか一項に記載の光制御具。
【請求項２７】
各スラット材は、前記第１方向と非平行な軸線を中心として回転可能に支持され、
任意に選択される隣り合う二つのスラット材に関する前記比の値（ｄ／ｈ）は、０．５より大きい、請求項２０〜２６のいずれか一項に記載の光制御具。
【請求項２８】
一部の光制御具に関する前記比の値（ｄ／ｈ）は、０．７５以下である、請求項２０〜２７のいずれか一項に記載の光制御具。
【請求項２９】
入射光の進行方向を変えて透過させる採光シートと、対面する位置に配置される光制御具であって、
第１方向に配列された複数のスラット材を有し、
各スラット材は、前記第１方向と非平行な第２方向に延び、
前記第１方向と平行で前記第２方向と直交する基準面において各スラット材の両端部を結ぶ方向が前記第１方向に直交する方向に対してなす角度を傾斜角とすると、或る一つのスラット材の前記傾斜角は、他の少なくとも一つのスラット材の前記傾斜角と異なる、光制御具。
【請求項３０】
前記基準面において、スラット材の前記採光シートに近接する側の端部が、当該スラット材の前記採光シートから離間する側の端部よりも、前記第１方向における第１の側に位置する場合における、前記傾斜角の値を正の値とすると、
前記第１方向に連続して配列された少なくとも一部のスラット材のうちの任意に選択される一つのスラット材に関する前記傾斜角の値は、前記少なくとも一部のスラット材のうちの当該一つのスラット材よりも前記第１方向における第１の側に位置する他の一つのスラット材に関する前記傾斜角の値以上となる、請求項２９に記載の光制御具。
【請求項３１】
前記少なくとも一部のスラット材は、前記複数のスラット材の中で前記第１方向における前記第１の側とは反対側となる第２の側に配置されている、請求項２９又は３０に記載の光制御具。
【請求項３２】
前記光制御具は、一部分において前記採光シートに対面する位置に配置され、
前記少なくとも一部のスラット材は、前記採光シートに対面して位置する、請求項２９〜３１のいずれか一項に記載の光制御具。
【請求項３３】
少なくとも一部のスラット材の前記第１方向において第１の側を向く第１面が、光拡散反射性を有する、請求項１２〜３２のいずれか一項に記載の光制御具。
【請求項３４】
少なくとも一部のスラット材は、光拡散透過性を有する、請求項１２〜３２のいずれか一項に記載の光制御具。
【請求項３５】
前記採光シートに対面する位置に配置されるスラット材の前記第１方向において第１の側を向く第１面での反射率が、前記採光シートに対面しない位置に配置されるスラット材の前記第１面での反射率よりも、低い、請求項１６〜３２のいずれか一項に記載の光制御具。
【請求項３６】
少なくとも一部のスラット材について、前記第２方向に直交する面での当該スラット材の両端部間の距離ｈに対する前記スラット材の前記第１方向への配置ピッチｄの比の値（ｄ／ｈ）は、０．７５以下である、請求項２０〜２８のいずれか一項に記載の光制御具。
【請求項３７】
或る隣り合う二つのスラット材に関する前記第２方向に直交する面での当該スラット材の両端部間の距離ｈに対する前記スラット材の前記第１方向への配置ピッチｄの比の値（ｄ／ｈ）は、前記或る隣り合う二つのスラット材とは異なる他の隣り合う二つのスラット材に関する前記比の値（ｄ／ｈ）と、異なる、請求項２９〜３２のいずれか一項に記載の光制御具。
【請求項３８】
入射光の進行方向を変えて透過させる採光シートと、
前記採光シートと対面する位置に配置される請求項１〜３７のいずれか一項に記載の光制御具と、を備える、採光システム。
【請求項３９】
第１透光部材と、
入射光の進行方向を変えて透過させる採光シートと、
請求項１〜３７のいずれか一項に記載の光制御具と、を備える、重ね窓の組立キット。
【請求項４０】
第１空間と第２空間とを区画する構造体の開口部に配置された透光部材に対面する位置に前記光制御具及び前記第１透光部材を支持する枠体を、更に備える、請求項３９に記載の組立キット。
【請求項４１】
前記枠体は、前記透光部材を支持する枠部材および前記構造体の少なくとも一方に取り付け可能となっている、請求項４０に記載の組立キット。
【請求項４２】
請求項３９〜４１のいずれか一項に記載の組立キットを備える、重ね窓。
【請求項４３】
請求項４０または４１に記載の組立キットを備え、
前記第１透光部材および前記透光部材の少なくとも一方は、合わせガラス、ペアガラス、又は、二重窓を構成する、重ね窓。
【請求項４４】
請求項１〜３７のいずれか一項に記載の光制御具、請求項３８に記載の採光システム、請求項３９〜４１のいずれか一項に記載の組立キット、又は、請求項４２又は４３に記載の重ね窓を備える、構造体。
【請求項４５】
請求項１〜３７のいずれか一項に記載の光制御具、請求項３８に記載の採光システム、請求項３９〜４１のいずれか一項に記載の組立キット、又は、請求項４２又は４３に記載の重ね窓を備える、建物。
【請求項４６】
請求項３９〜４１のいずれか一項に記載の組立キットを、構造体に設置する工程を備える、重ね窓の製造方法。
【発明の詳細な説明】
【技術分野】
【０００１】
本開示は、採光シートとともに用いる光制御具、光制御具及び採光シートを含む採光システム、組立キット、重ね窓、構造体、建物、及び、重ね窓の製造方法に関する。
【背景技術】
【０００２】
昼光利用による省エネルギーや照明コストの削減を目的に、採光シートが提案されている（例えば、特許文献１）。採光シートは、典型的には、窓に入射する太陽光の光路を跳ね上げ、室内奥に取り込むことを可能にする。
【０００３】
ところで、採光シートは、光を遮蔽可能な光制御具、典型的には遮光ルーバーやベネチアンブラインド等の遮光装置とともに使用されることがある。光制御具を用いることで、太陽の直射光に眩しさを感じることや、太陽の直射光による熱負荷を低減することが可能となる。
【先行技術文献】
【特許文献】
【０００４】
【特許文献１】特開２０１５−１０１８６１号公報
【発明の概要】
【発明が解決しようとする課題】
【０００５】
しかしながら、光制御具を採光シートとともに用いた場合、種々の問題が生じ得ることが確認された。本開示は、このような点を考慮してなされたものであり、採光シートともに光制御具を用いることにともなって生じ得る種々の問題の少なくとも一つに対処することを目的とする。
【課題を解決するための手段】
【０００６】
本発明による第１の光制御具は、
入射光の進行方向を変えて透過させる採光シートと、対面する位置に配置される光制御具であって、
第１方向に配列された複数のスラット材を備え、
各スラット材は、前記第１方向と非平行な第２方向に延び、
少なくとも一部のスラット材の前記第１方向において第１の側を向く第１面が、光拡散反射性を有する。
【０００７】
本発明による第１の光制御具において、前記少なくとも一部のスラット材の前記第１面での拡散反射成分比、９５％以上であってもよい。
【０００８】
本発明による第１の光制御具において、前記少なくとも一部のスラット材の前記第１面での拡散反射成分比は、当該スラット材の前記第１方向における前記第１の側とは反対側となる第２の側を向く第２面での拡散反射成分比よりも高くなっていてもよい。
【０００９】
本発明による第１の光制御具において、前記少なくとも一部のスラット材の前記第１面での反射光の強度の角度分布において、最高強度が得られる方向に対して両側に３０度以下の任意の角度で傾斜した方向での強度が、最高強度の１０％以上であるようにしてもよい。
【００１０】
本発明による第１の光制御具において、前記少なくとも一部のスラット材は、前記複数のスラット材の中で前記第１方向における前記第１の側とは反対側となる第２の側に配置されていてもよい。
【００１１】
本発明による第１の光制御具において、
前記光制御具は、一部分において前記採光シートに対面する位置に配置され、
前記少なくとも一部のスラット材は、前記採光シートに対面して位置していてもよい。
【００１２】
本発明による第２の光制御具は、
入射光の進行方向を変えて透過させる採光シートと、対面する位置に配置される光制御具であって、
第１方向に配列された複数のスラット材を備え、
各スラット材は、前記第１方向と非平行な第２方向に延び、
少なくとも一部のスラット材は、光拡散透過性を有する。
【００１３】
本発明による第２の光制御具において、前記少なくとも一部のスラット材の拡散透過成分比は、９０％以上であってもよい。
【００１４】
前記少なくとも一部のスラット材の透過光の強度の角度分布において、最高強度が得られる方向に対して両側に３０度以下の任意の角度で傾斜した方向での強度が、最高強度の２０％以上である、請求項７又は８に記載の光制御具。
【００１５】
本発明による第２の光制御具において、前記少なくとも一部のスラット材は、前記複数のスラット材の中で前記第１方向における第２の側に配置されていてもよい。
【００１６】
本発明による第２の光制御具において、
前記光制御具は、一部分において前記採光シートに対面する位置に配置され、
前記少なくとも一部のスラット材は、前記採光シートに対面して位置していてもよい。
【００１７】
本発明による第３の光制御具は、
入射光の進行方向を変えて透過させる採光シートと、一部分において対面する位置に配置される光制御具であって、
第１方向に配列された複数のスラット材を有し、
各スラット材は、前記第１方向と非平行な第２方向に延び、
前記採光シートに対面する位置に配置されるスラット材の前記第１方向において第１の側を向く第１面での反射率が、前記採光シートに対面しない位置に配置されるスラット材の前記第１面での反射率よりも、低い。
【００１８】
本発明による第３の光制御具において、前記採光シートに対面する位置に配置されるスラット材の前記第１面での反射率は、３０％以上７０％以下となっていてもよい。
【００１９】
本発明による第３の光制御具において、前記採光シートに対面する位置に配置されるスラット材の前記第１方向において第１の側を向く第１面での反射率は、前記採光シートに対面しない位置に配置されるスラット材の前記第１面での反射率の５０％以上７０％以下となっていてもよい。
【００２０】
本発明による第３の光制御具において、前記採光シートに対面する位置に配置されるスラット材の前記第１面での反射率は、当該スラット材の前記第１方向における前記第１の側とは反対側となる第２の側を向く第２面での反射率よりも大きくなっていてもよい。
【００２１】
本発明による第４の光制御具は、
入射光の進行方向を変えて透過させる採光シートと、対面する位置に配置される光制御具であって、
第１方向に配列された複数のスラット材を有し、
各スラット材は、前記第１方向と非平行な第２方向に延び、
少なくとも一部のスラット材について、前記第２方向に直交する面での当該スラット材の両端部間の距離ｈに対する前記スラット材の前記第１方向への配置ピッチｄの比の値（ｄ／ｈ）は、０．７５以下となっていてもよい。
【００２２】
本発明による第４の光制御具において、
各スラット材は、前記第１方向と非平行な軸線を中心として回転可能に支持され、
前記少なくとも一部のスラット材についての前記比の値（ｄ／ｈ）は、０．５よりも大きくなっていてもよい。
【００２３】
本発明による第４の光制御具において、前記少なくとも一部のスラット材は、前記複数のスラット材の中で前記第１方向における第２の側に配置されていてもよい。
【００２４】
本発明による第４の光制御具において、
前記光制御具は、一部分において前記採光シートに対面する位置に配置され、
前記少なくとも一部のスラット材は、前記採光シートに対面して位置していてもよい。
【００２５】
本発明による第５の光制御具は、
入射光の進行方向を変えて透過させる採光シートと、対面する位置に配置される光制御具であって、
第１方向に配列された複数のスラット材を有し、
各スラット材は、前記第１方向と非平行な第２方向に延び、
或る隣り合う二つのスラット材に関する前記第２方向に直交する面での当該スラット材の両端部間の距離ｈに対する前記スラット材の前記第１方向への配置ピッチｄの比の値（ｄ／ｈ）は、前記或る隣り合う二つのスラット材とは異なる他の隣り合う二つのスラット材に関する前記比の値（ｄ／ｈ）と、異なる。
【００２６】
本発明による第５の光制御具において、前記或る隣り合う二つのスラット材についての配置ピッチｄは、前記他の隣り合う二つのスラット材についての配置ピッチｄと異なるようにしてもよい。
【００２７】
本発明による第５の光制御具において、前記第１方向に連続して配列された少なくとも一部のスラット材のうちの、任意に選択される隣り合う二つのスラット材に関する前記比の値（ｄ／ｈ）は、前記少なくとも一部のスラット材のうちの、当該隣り合う二つのスラット材よりも前記第１方向における第１の側に位置する他の隣り合う二つのスラット材に関する前記比の値（ｄ／ｈ）以下となっていてもよい。
【００２８】
本発明による第５の光制御具において、前記第１方向に連続して配列された少なくとも一部のスラット材のうちの、任意に選択される隣り合う二つのスラット材に関する前記配置ピッチｄは、前記少なくとも一部のスラット材のうちの、当該隣り合う二つのスラット材よりも前記第１方向における第１の側に位置する他の隣り合う二つのスラット材に関する前記配置ピッチｄ以下となっていてもよい。
【００２９】
本発明による第５の光制御具において、前記少なくとも一部のスラット材は、前記複数のスラット材の中で前記第１方向における前記第１の側とは反対側となる第２の側に配置されていてもよい。
【００３０】
本発明による第５の光制御具において、
前記光制御具は、一部分において前記採光シートに対面する位置に配置され、
前記少なくとも一部のスラット材は、前記採光シートに対面して位置していてもよい。
【００３１】
本発明による第５の光制御具において、
各スラット材は、前記第１方向と非平行な軸線を中心として回転可能に支持され、
任意に選択される二つのスラット材に関する前記比の値（ｄ／ｈ）は、０．８５以下となっていてもよい。
【００３２】
本発明による第５の光制御具において、
各スラット材は、前記第１方向と非平行な軸線を中心として回転可能に支持され、
任意に選択される隣り合う二つのスラット材に関する前記比の値（ｄ／ｈ）は、０．５より大きくなっていてもよい。
【００３３】
本発明による第５の光制御具において、一部の光制御具に関する前記比の値（ｄ／ｈ）は、０．７５以下となっていてもよい。
【００３４】
本発明による第６の光制御具は、
入射光の進行方向を変えて透過させる採光シートと、対面する位置に配置される光制御具であって、
第１方向に配列された複数のスラット材を有し、
各スラット材は、前記第１方向と非平行な第２方向に延び、
前記第１方向と平行で前記第２方向と直交する基準面において各スラット材の両端部を結ぶ方向が前記第１方向に直交する方向に対してなす角度を傾斜角とすると、或る一つのスラット材の前記傾斜角は、他の少なくとも一つのスラット材の前記傾斜角と異なる。
【００３５】
本発明による第６の光制御具において、
前記基準面において、スラット材の前記採光シートに近接する側の端部が、当該スラット材の前記採光シートから離間する側の端部よりも、前記第１方向における第１の側に位置する場合における、前記傾斜角の値を正の値とすると、
前記第１方向に連続して配列された少なくとも一部のスラット材のうちの任意に選択される一つのスラット材に関する前記傾斜角の値は、前記少なくとも一部のスラット材のうちの当該一つのスラット材よりも前記第１方向における第１の側に位置する他の一つのスラット材に関する前記傾斜角の値以上となってもよい。
【００３６】
本発明による第６の光制御具において、前記少なくとも一部のスラット材は、前記複数のスラット材の中で前記第１方向における前記第１の側とは反対側となる第２の側に配置されていてもよい。
【００３７】
本発明による第６の光制御具において、
前記光制御具は、一部分において前記採光シートに対面する位置に配置され、
前記少なくとも一部のスラット材は、前記採光シートに対面して位置していてもよい。
【００３８】
本発明による第３〜第６の光制御具のいずれかにおいて、少なくとも一部のスラット材の前記第１方向において第１の側を向く第１面が、光拡散反射性を有するようにしてもよい。
【００３９】
本発明による第３〜第６の光制御具のいずれかにおいて、少なくとも一部のスラット材は、光拡散透過性を有するようにしてもよい。
【００４０】
本発明による第４〜第６の光制御具のいずれかにおいて、前記採光シートに対面する位置に配置されるスラット材の前記第１方向において第１の側を向く第１面での反射率が、前記採光シートに対面しない位置に配置されるスラット材の前記第１面での反射率よりも、低くなっていてもよい。
【００４１】
本発明による第５及び第６の光制御具のいずれかにおいて、少なくとも一部のスラット材について、前記第２方向に直交する面での当該スラット材の両端部間の距離ｈに対する前記スラット材の前記第１方向への配置ピッチｄの比の値（ｄ／ｈ）は、０．７５以下であってもよい。
【００４２】
本発明による第６の光制御具において、或る隣り合う二つのスラット材に関する前記第２方向に直交する面での当該スラット材の両端部間の距離ｈに対する前記スラット材の前記第１方向への配置ピッチｄの比の値（ｄ／ｈ）は、前記或る隣り合う二つのスラット材とは異なる他の隣り合う二つのスラット材に関する前記比の値（ｄ／ｈ）と、異なるようにしてもよい。
【００４３】
本開示による採光システムは、
入射光の進行方向を変えて透過させる採光シートと、
前記採光シートと対面する位置に配置される、本発明による第１〜第６の光制御具のいずれかと、を備える。
【００４４】
本開示による重ね窓の組立キットは、
第１透光部材と、
入射光の進行方向を変えて透過させる採光シートと、
本発明による第１〜第６の光制御具のいずれかと、を備える。
【００４５】
本開示による重ね窓の組立キットは、第１空間と第２空間とを区画する構造体の開口部に配置された透光部材に対面する位置に前記光制御具及び前記第１透光部材を支持する枠体を、更に備える。
【００４６】
本開示による重ね窓の組立キットにおいて、前記枠体は、前記透光部材を支持する枠部材および前記構造体の少なくとも一方に取り付け可能となっていてもよい。
【００４７】
本開示による重ね窓は、本開示による組立キットを備える。
【００４８】
本開示による重ね窓において、前記第１透光部材および前記透光部材の少なくとも一方は、合わせガラス、ペアガラス、又は、二重窓を構成するようにしてもよい。
【００４９】
本開示による構造体は、本開示による第１〜第６の光制御具のいずれか、本開示による採光システム、本開示による組立キット、又は、本開示による重ね窓を備える。
【００５０】
本開示による建物は、本開示による第１〜第６の光制御具のいずれか、本開示による採光システム、本開示による組立キット、又は、本開示による重ね窓を備える。
【００５１】
本開示による重ね窓の製造方法は、本開示による組立キットを構造体に設置する工程を備える。
【発明の効果】
【００５２】
本開示によれば、採光シートともに光制御具を用いることにともなって生じ得る種々の問題の少なくとも一つに対処することができる。
【図面の簡単な説明】
【００５３】
【図１】図１は、第１の実施の形態を説明するための図であって、採光システムを示す縦断面図である。
【図２】図２は、図１と同様の断面において図１の採光システムの作用を説明するための図である。
【図３】図３は、採光シートの一例を示す斜視図である。
【図４】図４は、図３のＩＶ−ＩＶ線に沿った断面図である。
【図５】図５は、光制御具の一例を示す斜視図である。
【図６】図６は、図４に対応する図であって、採光シートの一変形例を示す断面図である。
【図７】図７は、図４に対応する図であって、採光シートの他の変形例を示す断面図である。
【図８】図８は、図４に対応する図であって、採光シートの更に他の変形例を示す断面図である。
【図９】図９は、図１に対応する図であって、採光システムの一変形例を示す図である。
【図１０】図１０は、図１に対応する図であって、採光システムの他の変形例を示す図である。
【図１１】図１１は、図１に対応する図であって、採光システムの更に他の変形例を示す図である。
【図１２】図１２は、図１に対応する図であって、採光システムの更に他の変形例を示す図である。
【図１３】図１３は、図１に対応する図であって、採光システムの更に他の変形例を示す図である。
【図１４】図１４は、図１に対応する図であって、採光システムの更に他の変形例を示す図である。
【図１５】図１５は、図１に対応する図であって、第２の実施の形態を説明するための図である。図１５は、採光システムを示す縦断面図である。
【図１６】図１６は、図２に対応する図であって、図１５の採光システムの作用を説明するための図である。
【図１７】図１７は、図２に対応する図であって、第３の実施の形態を説明するための図である。図１７は、採光システムの作用を説明するための図である。
【図１８】図１８は、図２に対応する図であって、第４の実施の形態を説明するための図である。図１８は、採光システムの一例を示す図である。
【図１９】図１９は、図２に対応する図であって、第４の実施の形態を説明するための図である。図１８は、採光システムの他の例を示す図である。
【図２０】図２０は、図１に対応する図であって、第５の実施の形態を説明するための図である。図２０は、採光システムの一例を示す縦断面図である。
【図２１】図２１は、図２に対応する図であって、図２０の採光システムの作用を説明するための図である。
【図２２】図２２は、図１に対応する図であって、第５の実施の形態を説明するための図である。図２２は、採光システムの他の例を示す縦断面図である。
【図２３】図２３は、図２に対応する図であって、図２２の採光システムの作用を説明するための図である。
【図２４】図２４は、図１に対応する図であって、第６の実施の形態を説明するための図であって、採光システムを示す縦断面図である。
【図２５】図２５は、図２に対応する図であって、図２４の採光システムの作用を説明するための図である。
【発明を実施するための形態】
【００５４】
以下、図面を参照して本開示の複数の実施の形態について説明する。なお、本件明細書に添付する図面においては、図示と理解のしやすさの便宜上、適宜縮尺および縦横の寸法比等を、実物のそれらから変更し誇張してある。
【００５５】
また、本明細書において用いる、形状や幾何学的条件並びにそれらの程度を特定する、例えば、「平行」、「直交」、「同一」等の用語については、厳密な意味に縛られることなく、同様の機能を期待し得る程度の範囲を含めて解釈することとする。
【００５６】
さらに、本明細書において、「シート」、「フィルム」、「板」の用語は、呼称の違いのみに基づいて、互いから区別されるものではない。例えば、「シート」はフィルムや板と呼ばれ得るような部材も含む概念である。したがって、「採光シート」とは、「採光フィルム」や「採光板」と呼称の相違のみにおいて区別されない。
【００５７】
さらに、「シート面（フィルム面、板面）」とは、対象となるシート状（フィルム状、板状）の部材を全体的かつ大局的に見た場合において対象となるシート状（フィルム状部材、板状部材）の平面と一致する面のことを指す。また、シート状（フィルム状、板状）の部材に対する法線方向とは、当該シート状（フィルム状、板状）の部材のシート面（フィルム面、板面）への法線方向のことを指す。
【００５８】
さらに、本明細書で言及する「入光側」及び「出光側」との用語は、太陽光を採光する光路を基準として用いられる。したがって、例えば図１、図２及び図４においては、第１空間ＳＡの側となる図面における左側が入光側で、第２空間ＳＢの側となる図面における右側が出光側となる。
【００５９】
以下に説明する採光システム５は、第１空間ＳＡ及び第２空間ＳＢを区画する構造体２の開口ＯＰに少なくとも部分的に対面するように配置される。構造体２は、典型的には、天井Ｃ及び床Ｆとともに建物１の内部、例えば室内を区画する壁Ｗとなる。ただし、この典型例に限られず、採光システム５が適用される構造体２は、自動車、電車、飛行機、車両等の移動体の区画壁、外殻等であってもよい。一般に、壁Ｗには、開口ＯＰを塞ぐ透光部材１０が設けられている。採光システム５は、採光シート２０及び光制御具４０を有している。採光シート２０は、例えば透光部材１０に貼合されて支持される。採光シート２０は、透光部材１０を透過する太陽光の進行方向を曲げて、第１空間ＳＡから第２空間ＳＢに取り込む。光制御具４０は、面方向の広がりを持つ部材としてシート状に形成されている。光制御具４０は、少なくとも部分的に採光シート２０に対面する位置に配置されている。光制御具４０は、採光シート２０によって十分に進行方向を変更されなかった光等の光路を調整し、太陽光に眩しさを感じることを抑制し、太陽光による熱負荷を低減する。
【００６０】
その一方で、従来の光制御具を採光シートとともに用いた場合、光制御具の表面に眩しさを感じる、光制御具の表面に顕著な明暗ムラが視認される、眩しさや明暗ムラに対処しようとすると採光効率が低下してしまう、といった問題が生じた。そして以下に説明する各実施の形態では、これらの不具合の少なくとも一つに対処するための工夫がなされている。
【００６１】
＜第１の実施の形態＞
まず、図１〜図１４を参照して、第１の実施の形態について説明する。
【００６２】
図１に示すように、採光システム５は、第１空間ＳＡ及び第２空間ＳＢを区分けする構造体２に設けられる。採光システム５は、構造体２に設けられた採光用の開口ＯＰの周辺に配置され、開口ＯＰを介した採光をより効率的なものとする。開口ＯＰには、透光部材１０が設けられている。採光システム５の採光シート２０は、透光部材１０に積層され、透光部材１０によって支持されている。図示された例において、採光シート２０は、開口ＯＰの上方領域ｕａに配置されている。その一方で、採光シート２０は、開口ＯＰの下方領域ｌａには配置されていない。したがって、図示された例において、開口ＯＰの下方領域ｌａに入射する光は、採光シート２０によって光路を制御されることはない。図示された例において、光制御具４０は、開口ＯＰの略全域に対面するようにして、配置されている。以下、各構成要素について説明する。
【００６３】
まず、透光部材１０について説明する。透光部材１０は、開口ＯＰに設けられている。透光部材１０は、採光システム５の採光シート２０を支持する。図示された例において、透光部材１０は、開口ＯＰを物理的に塞いでいる。ただし、透光部材１０は、光透過性を有し、少なくとも可視光の一部を透過する。透光部材１０として、例えば、ガラスや樹脂板を用いることができる。透光部材１０は、好ましくは可視光透過率が５０％以上、より好ましくは可視光透過率が７０％以上となる材料を用いて形成され得る。なお、可視光透過率は、紫外可視赤外分光光度計（日本分光株式会社製  Ｖ−６７０）を用いて、測定波長３８０ｎｍ〜７８０ｎｍ範囲の透過スペクトルを測定し、ＪＩＳ  Ａ  ５７５９記載の手順に従い算出される。
【００６４】
次に、採光シート２０について説明する。
【００６５】
図１に示された例において、採光シート２０は、透光部材１０の上方領域ｕａに貼り付けられている。採光シート２０は、第１空間ＳＡから入射する太陽光の進行方向を、第１方向ｄ１における第１の側ｓ１から第２の側ｓ２へと変更する。言い換えると、採光シート２０は、第１空間ＳＡから入射する太陽光の進行方向を、鉛直方向における下側から上側へ向くように変化させて、第２空間ＳＢに導く。すなわち、採光シート２０での光路変更機能により、採光シート２０を透過する太陽光の一部が進行方向を偏向させられる。この跳ね上げ光は、第２空間ＳＢの奥の領域まで到達することができる。これにより、外光を第２空間に有効に取り組むことが可能となる。
【００６６】
ここで、図３及び図４は、採光シート２０の一具体例を示している。以下、この具体例に基づき、採光シート２０を説明する。図３に示すように、採光シート２０は、線状に延びる複数の第１部分２２と、線状に延びる複数の第２部分２３と、を有している。第１部分２２及び第２部分２３は、一方向に交互に配列されている。各第１部分２２は、一方向と非平行な方向に線状に延びている。図示された例において、各第１部分２２は、一方向と直交する他方向に直線状に延びている。各第２部分２３は、一方向と非平行な方向に線状に延びている。図示された例において、各第２部分２３は、一方向と直交する他方向に直線状に延びている。一方向及び他方向は、共に、採光シート２０のシート面に沿っている。
【００６７】
図示された例において、第１部分２２及び第２部分２３が配列された一方向は、後述する光制御具４０のスラット材５０の配列方向に一致している。また、第１部分２２及び第２部分２３が延びる他方向は、後述する光制御具４０のスラット材５０の長手方向である第２方向ｄ２と一致している。図示された例において、第１方向ｄ１は鉛直方向と平行になっている。第１方向ｄ１における第１の側ｓ１は、鉛直方向における下側となり、第１方向ｄ１における第２の側ｓ２は、鉛直方向における上側となる。一方、図示された例において、第２方向ｄ２は水平方向と平行になっている。また、採光シート２０の法線方向ｎｄは、水平方向と平行になっている。
【００６８】
図３及び図４に示すように、採光シート２０は、第１部分２２及び第２部分２３を含む光制御層２１と、光制御層２１と積層された基材層２９と、を有している。なお、本実施の形態において、基材層２９は、後述する光制御層２１の製造方法に起因して設けられているが、特に必須の構成要素ではない。基材層２９は、一例として、単なる透明または半透明な樹脂製フィルムから形成され得る。
【００６９】
一方、光制御層２１は、第１部分２２及び第２部分２３に加えて、第１部分２２及び第２部分２３を支持するシート状のベース部分（ランド部）２４をさらに有している。このベース部分２４は、第１部分２２と一体的に形成されており、第１部分２２とともに光制御層本体２５を形成している。言い換えると、採光シート２０の光制御層２１は、複数の溝２５ａを形成された光制御層本体２５と、光制御層本体２５の複数の溝２５ａ内にそれぞれ形成された第２部分２３と、を有している。そして、光制御層本体２５のうちの隣り合う溝２５ａの間の部分が、第１部分２２を画成している。
【００７０】
図４には、採光シート２０の主切断面として、第１部分２２及び第２部分２３の配列方向である第１方向ｄ１及び採光シート２０のシート面への法線方向ｎｄの両方に平行となる断面にて、採光シート２０が、示されている。図４に示すように、第２部分２３は、光制御層２１の基材層２９側とは反対側の面の一部をなす底面２６と、底面２６から延び出た第１側面２７及び第２側面２８と、を含んでいる。
【００７１】
図示された例において、採光シート２０のシート面に沿った第１側面２７及び第２側面２８の離間間隔は、採光シート２０のシート面への法線方向に沿って底面２６から離間するにつれて、互いに接近していき、最終的に互いに接続している。図示された例において、第２側面２８は平坦面として形成されているが、第１側面２７は折れ面として形成されている。とりわけ、図示された例では、第１側面２７は、底面２６に接続する急斜面２７ａと、底面２６から離間した側に位置して第２側面２８と接続する緩斜面２７ｂと、を含んでいる。採光シート２０のシート面への法線方向ｎｄに対して急斜面２７ａがなす角度は、採光シート２０のシート面への法線方向ｎｄに対して緩斜面２７ｂがなす角度よりも大きくなっている。
【００７２】
ここで、各第２部分２３の第１側面２７は、当該第２部分２３と、当該第２部分２３に対して第１方向ｄ１における第２の側ｓ２、すなわち上下方向における上側から隣接する第１部分２２との間の界面を形成する。一方、各第２部分２３の第２側面２８は、当該第２部分２３と、当該第２部分２３に対して第１方向ｄ１における第１の側ｓ１、すなわち上下方向における下側から隣接する第１部分２２との間の界面を形成する。広い角度範囲からの入射光を狭い角度範囲に偏向して採光する観点から、各第２部分と当該第２部分２３に上側から隣接する第１部分２２との界面は、すなわち、第２部分２３の第１側面２７は、入光側で上下方向における上方に位置し且つ出光側で上下方向における下方に位置するよう、採光シート２０の法線方向ｎｄに対して傾斜している。
【００７３】
また、入射光をより狭い角度範囲に偏向して採光する観点からは、図４に示された例のように、採光シート２０への法線方向ｎｄと第１及び第２部分２２，２３の配列方向である第１方向ｄ１との両方に沿った図４に示された面内において、各第２部分２３と当該第２部分２３に上側から隣接する第１部分２２との界面が採光シート２０への法線方向ｎｄに対してなす角度θａ（図４参照）が、入光側から出光側へ向けて小さくなるように変化することが好ましい。
【００７４】
なお、角度θａが、「入光側から出光側へ向けて小さくなるように変化する」とは、角度θａが連続的に減少していく場合だけでなく、図４に示された例のように、角度θａが段階的に減少することも含む。さらに、角度θａの変化は、段階的と連続的の組み合わせであってもよい。また、段階的に変化する場合には、角度θａの変化は、二段階で変化するようにしてもよいし、三段階以上で変化するようにしてもよい。
【００７５】
図示された例において、第２部分２３は、第１方向ｄ１に沿って等間隔に配置されている。また、第２部分２３は、断面形状を変化させることなく、第２方向ｄ２に延びている。さらに、採光シート２０に含まれる多数の第２部分２３は、互いに同一に構成されている。以上の第２部分２３の構成にともない、図示された例では、採光シート２０に含まれる第１部分２２は、第１方向ｄ１に沿って等間隔に配置され、断面形状を変化させることなく第２方向ｄ２に延び、且つ、互いに同一に構成されている。
【００７６】
図４に示された断面での、第２部分２３の第１方向ｄ１に沿った配列ピッチｐは、一例として、１ｍｍ以下とすることができ、採光シート２０のシート面への法線方向ｎｄに沿った第２部分２３の高さｋは、１ｍｍ以下とすることができる。また、採光シート２０のシート面への法線方向ｎｄに沿った採光シート２０の厚みは、１００μ以上２ｍｍ以下とすることができる。
【００７７】
なお、採光シート２０の第１方向ｄ１に沿った第２部分２３の幅ｗに対する、採光シート２０のシート面への法線方向ｎｄに沿った第２部分２３の高さｋの比、すなわち、ｋ／ｗで表されるアスペクト比は、採光機能、及び、例えば遮光機能等のその他の機能を十分に発揮し得るよう、１より大きくなっていることが好ましく、５以上であることがさらに好ましい。また、このアスペクト比は、製造の安定性を考慮して、１０以下であることが好ましい。
【００７８】
ただし、図３及び図４に示された採光シート２０における以上に説明した第１部分２２及び第２部分２３の構成は、単なる例示であり、例えば後述する採光シート２０の機能を考慮して適宜変更することが可能である。一例として、第２部分２３の第１側面２７を曲面として構成してもよい。第１側面２７が曲面となっている場合にも、上述したように、各第２部分と当該第２部分２３に上側から隣接する第１部分２２との界面が採光シート２０への法線方向ｎｄに対してなす角度θａ（図３参照）が、入光側から出光側へ向けて小さくなるように変化することが好ましい。また、第２部分２３の断面形状を、台形形状等の種々の形状に変更することができる。また、採光シート２０に含まれる多数の第１部分２２の間で、形状や配列が異なるようにしてもよいし、同様に、採光シート２０に含まれる多数の第２部分２３の間で、形状や配列が異なるようにしてもよい。
【００７９】
次に、第１部分２２及び第２部分２３の材料について説明する。
【００８０】
まず、第１部分２２は透明に形成されている。本明細書において「透明」とは、可視光透過率が５０％以上となっていることを意味している。ただし、本実施の形態における第１部分２２の可視光透過率は、７０％以上となっていることが好ましく、９０％以上となっていることがより好ましい。
【００８１】
また、本実施の形態において、ベース部分２４は第１部分２２と同一の材料を用いて第１部分２２と一体的に形成されている。第１部分２２及びベース部分２４をなす光制御層本体２５に用いられる材料として、例えば、樹脂材料、とりわけ電離放射線の照射により硬化する電離放射線硬化性樹脂を用いることができる。電離放射線硬化性樹脂としては、紫外線硬化性樹脂、電子線硬化性樹脂、可視光線硬化性樹脂、近赤外線硬化性樹脂等が挙げられる。樹脂材料の具体例としては、アクリル樹脂が挙げられる。
【００８２】
第２部分２３は、第１部分２２と同様に、透明に形成されていてもよい。第２部分２３の屈折率は、第１部分２２の屈折率と異なっている。この結果、第１部分２２と第２部分２３との界面が、屈折率差を有し、可視光を反射する面として機能し得る。第１部分２２側から入射した可視光を第１部分２２と第２部分２３との界面で効率的に反射させるためには、第２部分２３の屈折率を第１部分２２の屈折率よりも小さくなるように調節することが好ましい。
【００８３】
また、図４に例示された一つの第２部分２３のように、第２部分２３は、バインダーとして機能する主部２３ａと、主部２３ａ中に分散された任意の機能性含有物２３ｂと、を有するようにしてもよい。主部２３ａの屈折率は、第１部分２２の屈折率と異なっており、この結果、第１部分２２と第２部分２３との界面が、屈折率差を有し、可視光を反射する面として機能し得る。
【００８４】
第２部分２３又は第２部分２３の主部２３ａに用いられる材料として、例えば、樹脂材料、とりわけ電離放射線の照射により硬化する電離放射線硬化性樹脂の硬化物を用いることができる。電離放射線硬化性樹脂としては、紫外線硬化性樹脂、電子線硬化性樹脂、可視光線硬化性樹脂、近赤外線硬化性樹脂等が挙げられる。樹脂材料の具体例としては、第１部分２２に用いるアクリル樹脂とは屈折率が異なるアクリル樹脂が挙げられる。もっとも、機能性含有物２３ｂを有する場合にその機能性含有物２３ｂによって第２部分２３の屈折率が変わるのであれば、第１部分２２に用いるものと同じアクリル樹脂を用いてもよい。
【００８５】
一方、第２部分２３の機能性含有物２３ｂは、種々の機能を期待されて主部２３ａ中に分散されており、一例として、熱線吸収材や着色材とすることができる。熱線吸収材として、赤外光波長帯域に吸収特性を有し、且つ、可視光波長帯域に透過特性を有する粒子が用いられる。着色材としては、可視光波長帯域の少なくとも一部の波長域の光を吸収する機能を有した粒子を用いることができる。着色材の一例として、顔料、より具体的には、カーボンブラック、黒鉛、窒化チタン等の黒色顔料や、酸化チタン等の白色顔料を用いることができる。また、紺色、青色、紫色等の青みを帯びた粒子、赤みを帯びた粒子、黄色みを帯びた粒子等を着色材として用いてもよい。着色材としての機能性含有物２３ｂを第２部分２３に用いることにより、第２部分２３を着色することができる。この際、第２部分２３の色味等も考慮した上で、採光シート２０に意匠性を付与することができる。
【００８６】
以上のような構成からなる、光制御層２１は次のようにして製造され得る。まず、第１部分２２及びベース部分２４をなす光制御層本体２５を、例えば、電子線、紫外線等の電離放射線の照射により硬化する特徴を有するエポキシアクリレート等の硬化性材料を用いて、作製する。具体的には、光制御層本体２５の溝２５ａの構成（配置、形状等）に対応した凸部を有する型ロール、言い換えると、第１部分２２の構成（配置、形状等）に対応した凹部を有する型ロールを準備する。当該型ロールとニップロールとの間に基材層２９をなすようになるシートを送り込み、該シートの送り込みに合わせて、硬化性材料を型ロールと基材層２９との間に供給する。その後、基材層２９上に供給された未硬化状態で液状の硬化性材料が型ロールの凹部に充填されるように、型ロールおよびニップロールで該硬化性材料を押圧する。このとき、型ロールの凹部の深さより厚くなるように、すなわち、型ロールと基材層２９とが接触しないように、硬化性材料を基材層２９上に供給しておくことによって、上述したベース部分（ランド部）２４が、第１部分２２と一体的に硬化性材料から形成されるようになる。以上のようにして基材層２９と型ロールとの間に未硬化で液状の硬化性材料を充填した後、光を照射して該硬化性材料を硬化（固化）させることによって光制御層本体２５を形成することができる。
【００８７】
次に、硬化することによって主部２３ａをなすようになる硬化性材料と、必要に応じて任意の機能性含有物２３ｂと、を含んだ未硬化で液状の組成物を用いて第２部分２３を作製する。硬化することによって主部２３ａをなすようになる硬化性材料として、電離放射線により硬化する特徴を有するウレタンアクリレート等の硬化性材料を用いることができる。まず、先に形成された光制御層本体２５上に組成物を供給する。その後、隣り合う第１部分２２の間の形成された溝２５ａ、すなわち、型ロールの凸部に対応していた部分の内部に、ドクターブレードを用いながら、組成物を充填しつつ、該溝２５ａ外に溢出した余剰分の組成物を掻き落としていく。その後、第１部分２２の間の組成物に電離放射線を照射して硬化させることにより、第２部分２３が形成される。これにより、基材層２９、並びに、基材層２９上に設けられたベース部分２４と、ベース部分２４上に設けられた第１部分２２及び第２部分２３と、を有する採光シート２０が作製される。
【００８８】
なお、採光シート２０が、第１部分２２及び第２部分２３に加えて、種々の機能を期待された機能層をさらに有するようにしてもよい。例えば、採光シート２０が、最も第２空間ＳＢ側となる層として、耐擦傷性を有したハードコート層をさらに有するようにしてもよい。
【００８９】
次に、光制御具４０について説明する。
【００９０】
光制御具４０は、少なくとも一部の光の直進を規制する装置である。光制御具４０は、採光シート２０の出射側に配置される。光制御具４０は、少なくとも一部分において、採光シート２０と対面する。光制御具４０は、採光シート２０からの跳ね上げ光Ｌ１１の進行を許容する一方で、採光シート２０で期待された方向に進行方向を補正され得なかった光Ｌ１２の直進を規制する。光制御具４０は、採光シート２０で期待された方向に進行方向を補正され得なかった光Ｌ１２の進行方向を曲げる、または、当該光Ｌ１２を吸収する等して、当該光Ｌ１２を遮蔽する。すなわち、光制御具４０は、昼光利用に有効ではない光を遮光する遮光装置として機能する。昼光利用に有効ではない光は、第２空間ＳＢに居る人が感じる眩しさの原因や、不要な温度上昇の原因ともなる。したがって、光制御具４０によれば、第２空間ＳＢに居る人が眩しさを感じることを抑制することができ、第２空間ＳＢ内部での温度上昇を抑制することもできる。
【００９１】
図１に示すように、光制御具４０は、第１方向ｄ１に配列された複数のスラット材５０と、スラット材５０を支持するための支持具４１と、を有している。スラット材５０は、長手方向を有する薄板状の部材である。各スラット材５０は、第１方向ｄ１と非平行な第２方向ｄ２に延びている。図示された例において、第１方向ｄ１は第２方向ｄ２と直交している。また、既に説明したように、第１方向ｄ１は、鉛直方向に一致し、第２方向ｄ２は、水平方向に一致している。図１及び図２に示すように、薄板状のスラット材５０は、第１方向ｄ１における第１の側ｓ１を向く第１面５１と、第１方向ｄ１における第２の側ｓ２を向く第２面５２と、を主面として含んでいる。また、スラット材５０は、その長手方向に直交する図１及び図２の断面において、入光側に位置する第１端部５３と、出光側に位置する第２端部５４と、を含んでいる。
【００９２】
なお、図１に示された例において、薄板状のスラット材５０は湾曲している。そして、第２面５２が凸面となり、第１面５１が凹面となっている。ただし、図１に示された例に限られず、第２面５２が凹面となり、第１面５１が凸面となるようにしてもよい。なお、図１、及び、図１と同様の視野を示す図９〜図１５，図２０，図２２，図２４以外の図においては、湾曲を省略してスラット材５０を示しているが、これらの図に示すように、スラット材５０は平板状に形成されていてもよい。また、図２、及び、図２と同様の視野を示す図１６〜図１９，図２１，図２３，図２５では、採光シート２０の詳細な構成の図示を省略している。
【００９３】
スラット材５０は、一例として、耐食アルミニウム合金からなる薄板材、木材からなる薄板材、樹脂からなる薄板材を用いることができる。このようなスラット材５０は、不透明であり、可視光遮光性を有している。スラット材５０は、可視光を反射する機能を有し、入射光の進行方向を変化させるようにしてもよい。また、スラット材５０の表面に、遮熱、防汚、抗菌、消臭機能を付与するための機能層が形成されていてもよい。一例として、フッ素コートや酸化チタンコートをスラット材５０に設けることができる。
【００９４】
図１及び図２に示すように、支持具４１は、跳ね上げ光Ｌ１１，Ｌ２１の直進を許容可能な姿勢にて、スラット材５０を保持することができる。より具体的には、跳ね上げ光Ｌ１１，Ｌ２１が、スラット材５０の第１面５１や第２面５２に入射することなく隣り合う二つのスラット材５０の間を通過し得るように、支持具４１はスラット材５０を保持することができる。図１及び図２に示されたスラット材５０は、跳ね上げ光Ｌ１１，Ｌ２１の光路を確保すべく、採光シート２０に近接する側の第１端部５３が第１方向ｄ１における第１の側ｓ１に位置するとともに、採光シート２０から離間する側の第２端部５４が第１方向ｄ１における第２の側ｓ２に位置するよう、その姿勢を支持具４１によって調整されている。
【００９５】
光制御具４０は、図５に示されるように、ブラインド４４として構成されていてもよい。ブラインド４４として構成された光制御具４０の支持具４１は、スラット材５０の向き、すなわち、薄板状のスラット材５０の板面の向きを変更可能に、スラット材５０を支持する。また、光制御具４０に含まれるスラット材５０の各々が、支持具４１によって、他のスラット材５０と平行に維持されながら向きを調整されるようにしてもよいし、他のスラット材５０から独立して向きを調整され得るようにしてもよい。
【００９６】
図１に示された例において光制御具４０は、採光シート２０に正対しない領域にも配置されている。このような光制御具４０は、採光シート２０に正対しない領域において、通常のブラインドとして遮光機能を発揮することができる点において好ましい。この例において、ブラインド４４は、採光シート２０に正対する第１群のスラット材５０の向きと、第１群のスラット材５０の下方に位置する採光シート２０に正対しない第２群のスラット材５０の向きと、を互いから独立して制御可能としてもよい。この際、第１群に含まれる複数のスラット材５０の向きは平行に維持され、第２群に含まれる複数のスラット材５０の向きは平行に維持されるようにしてもよい。或いは、第１群に含まれるスラット材５０の各々が、支持具４１によって、他のスラット材５０から独立して向きを調整され得るようにしてもよい。同様に、第２群に含まれるスラット材５０の各々が、支持具４１によって、他のスラット材５０から独立して向きを調整され得るようにしてもよい。
【００９７】
ここで、図５に示されたブラインド４４として構成された光制御具４０について説明する。ブラインド４４として構成された光制御具４０の支持具４１は、構造体２への取付具となる取付ボックス４５と、取付ボックス４５から垂下し且つ第１方向ｄ１に間隔をあけて多数のスラット材５０を支持するラダーコード４７と、スラット材５０を引き上げるための昇降コード４８と、ラダーコード４７及び昇降コード４８に連結された操作グリップ４６と、を有している。ラダーコード４７は、スラット材５０の向きを制御することができ、例えば、ブラインド４４に含まれるすべてのスラット材５０を概ね平行となるように維持する。そして、操作グリップ４６を介してラダーコード４７を操作することにより、スラット材５０の姿勢を制御することができる。また、操作グリップ４６を介して昇降コード４８を操作することにより、第１の側ｓ１のスラット材５０から順に第１方向ｄ１における間隔を狭めるようにして、多数のスラット材５０を第２の側ｓ２へ引き上げることができる。この際、多数のスラット材５０の少なくとも一部が取付ボックス４５内に収容され、且つ、開口ＯＰに装着された採光シート２０が室内に露出し得る。同様に、操作グリップ４６を介して昇降コード４８を操作することにより、第１の側ｓ１に集められたスラット材５０を、採光シート２０に対面する位置に下げることができる。
【００９８】
ただし、図５に示されたブラインド４４において、取付ボックス４５、操作グリップ４６、ラダーコード４７，昇降コード４８、並びに、操作グリップ４６を介してラダーコード４７及び昇降コード４８を操作する機構は、既知の種々の構成を採用することができる。
【００９９】
ところで、第１の実施の形態では、従来の採光システムの不具合に対処するため、少なくとも一部のスラット材５０の第１面５１が光拡散反射性を有している。第１面５１は、第１方向ｄ１における第１の側ｓ１を向く面、すなわち図示された例において鉛直方向における下側を向く面である。後述するように、第１面５１に光拡散反射性を付与することで、第１面５１での反射に起因する眩しさを効果的に回避することができる。防眩性を確保する観点から、このスラット材５０の第１面５１での拡散反射成分比は９５％以上であることが好ましい。また、防眩性を確保する観点から、このスラット材５０の第１面５１での拡散反射率〔％〕は、６０％以上であることが好ましく、７０％以上であることがより好ましい。さらに、防眩性を確保する観点から、このスラット材５０の第１面５１での鏡面反射率〔％〕は、３．０％以下となっていることが好ましい。
【０１００】
ここで、拡散反射成分比〔％〕は、拡散反射率〔％〕の反射率〔％〕に対する割合であって、言い換えると、全ての反射光に含まれる拡散反射光の割合〔％〕を意味する。反射率〔％〕とは、入射光に対する全ての反射光の割合である。そして、このすべての反射光には、拡散反射成分および鏡面反射成分の両方が含まれる。つまり、反射率〔％〕は、拡散反射率〔％〕および鏡面反射率〔％〕を足し合わせた値〔％〕となる。
【０１０１】
反射率〔％〕は、紫外可視赤外分光光度計（日本分光株式会社製  Ｖ−６７０）、及び１５０ｍｍφ積分球ユニット（日本分光株式会社製  ＩＬＮ−７２５ＶＡ）を用い、光線入射角４０度条件設定にて、測定波長３８０ｎｍ〜７８０ｎｍ範囲の反射スペクトルを測定し、ＪＩＳ  Ａ  ５７５９記載の手順に従い算出される。鏡面反射率（％）は、紫外可視赤外分光光度計（日本分光株式会社製  Ｖ−６７０）、及び自動絶対反射率測定ユニット（日本分光株式会社製  ＡＲＭＮ−７３５）を用い、光線入射角４０度条件設定にて、測定波長３８０ｎｍ〜７８０ｎｍ範囲の反射スペクトルを測定し、ＪＩＳ  Ａ  ５７５９記載の手順に従い算出される。拡散反射率〔％〕は、反射率〔％〕から鏡面反射率〔％〕を引いた値〔％〕として特定される。
【０１０２】
一例として、表面凹凸形状を第１面５１に付与することで、スラット材５０の第１面５１に拡散反射機能を付与することができる。すなわち、粗面として形成された第１面５１が、光拡散反射性を発現することできる。
【０１０３】
第１面５１に光拡散反射性を付与されたスラット材５０において、第１方向ｄ１における第２の側ｓ２、すなわち図示された例では鉛直方向における上側を向く第２面５２は、光拡散反射性を有している必要はない。したがって、このスラット材５０において、第１面５１での拡散反射成分比〔％〕が、第２面５２の拡散反射成分比〔％〕よりも大きくなっていてもよい。このようなスラット材５０によれば、防眩を実現しながら、昼光の利用効率の改善を図ることが可能となる。
【０１０４】
さらに、スラット材５０の第１面５１へ光線を入射させた際の反射光の強度の角度分布において、最高強度が得られる方向に対して両側に３０度以下の任意の角度で傾斜した方向での強度、すなわち、最高強度が得られる方向を中心とした６０度の角度範囲内の任意の方向での強度が、最高強度の１０％以上であることが好ましく、最高強度の１５％以上であることがより好ましい。また、スラット材５０の第１面５１へ光線を入射させた際の反射光の強度の角度分布において、最高強度が得られる方向に対して両側に１５度以下の任意の角度で傾斜した方向での強度、すなわち、最高強度が得られる方向を中心とした３０度の角度範囲内の任意の方向での強度が、最高強度の１５％以上であることが好ましく、最高強度の２０％以上であることがより好ましい。このような条件が満たされる場合、スラット材５０の第１面５１における拡散反射特性が強くなり、防眩機能を改善することができる。なお、反射光の強度の角度分布は、入射光の光路上に位置し且つ反射面の法線方向と平行な面上で強度測定方向を変化させていき、取得する。反射光の強度の角度分布は、三次元変角分光測色システム（村上色彩技術研究所  ＧＣＭＳ−１１）を用いて測定した値とする。また、入射光は、入射角４０°でスラット材に入射させる。
【０１０５】
なお、第１面５１に光拡散反射性を有するスラット材５０は、第１方向ｄ１における第２の側ｓ２、すなわち図示された例では、鉛直方向における上側に配置されていることが有効である。この領域において、眩しさが感知されやすいためである。
【０１０６】
また、図１に示された例において、光制御具４０は、その一部において、採光シート２０に対面している。そして、採光シート２０に正対する全て又は一部のスラット材５０に対して、光拡散反射性が第１面５１に付与されていることが好ましい。その一方で、採光シート２０に正対しないスラット材５０も含めて、光制御具４０に含まれる全てのスラット材５０に対して、光拡散反射性が第１面５１に付与されていてもよいし、光拡散反射性が第１面５１に付与されていなくてもよい。
【０１０７】
次に、以上の構成からなる採光システム５及び光制御具４０の作用について説明する。
【０１０８】
第１空間ＳＡ及び第２空間ＳＢを区画する構造体２の開口ＯＰに向かう光、とりわけ太陽光は、透光部材１０を透過して、採光シート２０に入射する。図４に示すように、採光シート２０は、屈折率界面を形成する第１部分２２及び第２部分２３を含んだ光制御層２１を有している。そして、第１部分２２及び第２部分２３の長手方向である第２方向ｄ２は、鉛直方向と交差する方向、とりわけ図示された例では水平方向に延びるようになる。また、第１部分２２及び第２部分２３の配列方向である第１方向ｄ１は、図示された例において、鉛直方向に延びる。このため、図４に示すように、採光シート２０が装着された開口ＯＰに向けて斜め上方から入射する太陽光Ｌ４１，Ｌ４２は、第１部分２２と第２部分２３の第１側面２７との界面に入射しやすくなり、多くの光が、この界面にて反射する。そして、太陽光Ｌ４１，Ｌ４２が第２部分２３の第１側面２７上で反射することにより、当該光の進行方向は、上側に曲げられる。言い換えると、第１部分２２を介して採光シート２０に入射してその後に第２部分２３の第１側面２７に到達した光は、当該第１側面２７上での反射によって、上方に跳ね上げられるようになる。
【０１０９】
とりわけ、図示された形態では、採光シート２０の第２部分２３が第１部分２２よりも低屈折率となっている。したがって、採光シート２０の第１部分２２に入射した光は、第２部分２３の第１側面２７と第１部分２２との界面での全反射条件を満たすようにして、当該界面に入射することができる。全反射による反射によれば、反射損失が生じないため、太陽光を効率的に利用することが可能となる。
【０１１０】
図１及び図２に示すように、採光シート２０の出光側には、遮光機能を有した光制御具４０が配置されている。採光シート２０の組み合わせにおいて、光制御具４０のスラット材５０は、その板面が入光側となる第１端部５３よりも出光側となる第２端部５４において上方に位置するように傾斜した姿勢で、支持具４１によって保持されている。したがって、採光シート２０での光路を変更する機能により光路を上方に曲げられた跳ね上げ光Ｌ１１，Ｌ２１は、光制御具４０のスラット材５０の間を通過することが可能となる。この跳ね上げ光Ｌ１１，Ｌ２１は、進行方向を跳ね上げられているので、透光部材１０が設置された位置から離間した室内の奥側の領域まで到達することができる。すなわち、この採光システム５によれば、室内照明のための採光機能が有効に発現されるので、室内灯具の使用を抑制することができ、省エネルギー及びＣＯ２の削減を図ることができる。
【０１１１】
加えて、本実施の形態では、図４に示すように、第２部分２３の第１側面２７は、入光側に急斜面２７ａを有し出光側に緩斜面２７ｂを有している。このような構成においては、まず大まかな傾向として、水平面に対して比較的に大きく傾いた方向に進む光Ｌ４１が急斜面２７ａに入射しやすくなり、その一方で、水平面に対して比較的に大きく傾いていない方向に進む光Ｌ４２は急斜面２７ａに入射することなく緩斜面２７ｂに入射しやすくなる。急斜面２７ａは、水平面に対する傾斜がきつい方向からの光Ｌ３２の進行方向を大きく立ち上げ過ぎないように曲げる。これにより、水平面に対して比較的に大きく傾いた方向から入射し且つ急斜面２７ａで反射した光Ｌ４２と、水平面に対して比較的に大きく傾いていない方向から入射し且つ急斜面２７ａに入射することなく緩斜面２７ｂで反射した光Ｌ４２が、概ね近い方向に出射し、開口ＯＰから離間した室内の奥側へ当該光を効果的に誘導することが可能となる。
【０１１２】
すなわち図示された例に代表されるように、採光シート２０への法線方ｎｄ向と第１及び第２部分２２，２３の配列方向である第１方向ｄ１との両方に沿った面内において、各第２部分２３と当該第２部分２３に上側から隣接する第１部分２２との界面が採光シート２０への法線方向ｎｄに対してなす角度θａが入光側から出光側へ向けて小さくなるように変化する場合、採光シート２０内で進路変更して透過する光の出射方向をより狭い角度範囲に絞り込むことができる。この結果、採光シート２０を透過した光は、採光シート２０の出光側に配置された光制御具４０のスラット材５０間を通過しやすくなり、より高い効率での採光が可能となる。
【０１１３】
ただし、図１に示すように、採光シート２０での光路変更機能によって、所望の方向に光路を曲げられない光Ｌ１２も発生し得る。例えば、採光シート２０の法線方向ｎｄに対して大きく傾斜しない光Ｌ１２、典型的には、採光シート２０の法線方向よりも僅かに下側に傾斜した方向に進む光Ｌ１２も生じ得る。このような光は、第２空間ＳＢに居る人の顔に向けて進みやすく、結果として、当該人が眩しさを感じる原因となる。また、採光シート２０に入射する光の一部Ｌ１３は、採光シート２０で進行方向を大きく変化させることなく透過する。このような光Ｌ１３は、おおよそ、太陽からの直達光と同様の光路を取り、眩しさを感じる原因や、第２空間ＳＢ内における不所望な温度上昇の原因となる。
【０１１４】
このような光Ｌ１２，Ｌ１３に対して、光制御具４０のスラット材５０は、遮光機能を有効に発揮することができる。すなわち、スラット材５０は、その板面が入光側となる第１端部５３よりも出光側となる第２端部５４において上方に位置するように傾斜した姿勢で、支持具４１によって保持されている。したがって、採光シート２０の法線方向に対して大きく傾斜しない光Ｌ１２や、採光シート２０の法線方向よりも下側に傾斜した方向に進む光Ｌ１３は、スラット材５０の第２面５２に入射しやすくなる。この結果、これらの光Ｌ１２，Ｌ１３が遮光され、防眩および遮熱機能が発揮される。すなわち、この採光システム５によれば、採光シート２０と組み合わせ用いられる光制御具４０での遮光機能や遮熱機能によっても、空調機器等の電化製品の使用量を抑制することが可能となり、省エネルギー及びＣＯ２の削減を図ることができる。
【０１１５】
以上に説明したように、採光シート２０での光路変更機能により、採光シート２０を透過した光の一部Ｌ１１，Ｌ２１が進行方向を跳ね上げられる。この跳ね上げ光Ｌ１１，Ｌ２１は、光制御具４０のスラット材５０間を通過して、第２空間ＳＢ、例えば屋内の奥の領域まで到達することができる。その一方で、光制御具４０は、採光シート２０にともなって生じる不所望光Ｌ１２，Ｌ１３を遮蔽して、防眩機能および遮熱機能を発現する。すなわち、光制御具４０は、不所望な光Ｌ１２，Ｌ１３に対して遮光機能を発揮する一方で、跳ね上げ光Ｌ１１，Ｌ２１の第２空間ＳＢへの進行を害することなく、これにより、太陽光を第２空間ＳＢに有効に取り組むことが可能となる。
【０１１６】
ところが、採光シート２０の背面に光制御具４０を設けた場合、第２空間ＳＢから、光制御具４０が眩しく観察されることが生じた。この原因について調査を行ったところ、採光シート２０を光制御具４０と組み合わせて使用することにともなって、これまで生じていなかった次に説明する問題が生じ得ることが確認された。
【０１１７】
まず、図２に示すように、採光シート２０で進行方向を偏向させられた跳ね上げ光の一部Ｌ２２ａが、スラット材５０の間を通過することなく、スラット材５０の第１面（裏面、下面）に入射していた。そして、スラット材５０は、入光側となる第１端部５３よりも出光側となる第２端部５４の方が上側に位置する姿勢で保持されている。したがって、スラット材５０の下側を向く第１面５１で正反射した光Ｌ２２ａは、おおむね、第２空間ＳＢに居る人に向けて進み、このため、光制御具４０が眩しく観察されていた。
【０１１８】
また、図２に示すように、採光シート２０で大きく進行方向を変化させられなかった光の一部Ｌ２３ａが、一つのスラット材５０の上側を向く第２面５２で反射し、次に、当該スラット材５０の上側に位置する他の一つのスラット材５０の下側を向く第１面５１に入射していた。スラット材５０の下側を向く第１面５１で正反射した光Ｌ２３ａは、おおむね、第２空間ＳＢに居る人に向けて進み、このため、光制御具４０が眩しく観察されていた。
【０１１９】
このような反射は、連続して配置された複数のスラット材５１の第１面５１で生じる。そして、第２空間ＳＢに居る人は、連続配置された複数のスラット材５１からの反射光が、スラット材の配列方向に延びる輝線として視認された。
【０１２０】
このような不具合に対して、第１の実施の形態では、少なくとも一部のスラット材５０の第１方向ｄ１において第１の側ｓ１、すなわち下側を向く第１面（裏面、下面）５１が、光拡散反射性を有している。したがって、図２に示すように、第１面５１で反射された光Ｌ２２，Ｌ２３は拡散する。これにより、採光シート２０とともに光制御具４０を用いることにともなって生じていた眩しさに効果的に対処することができる。すなわち、第２空間ＳＢの側から観察した際に光制御具４０が眩しく観察されることを効果的に防止することができる。とりわけ、第１面５１での拡散反射成分比が９５％以上となっている場合には、通常の注意力での観察において、光制御具４０に眩しさを感じることはなかった。また、スラット材５０の第１面５１での反射光の強度の角度分布において、最高強度が得られる方向に対して両側に３０度以下の任意の角度で傾斜した方向での強度が、最高強度の１０％以上となっている場合にも、光制御具４０に眩しさを感じることはなかった。
【０１２１】
ここで、本件発明者が実施した実験結果の一部を示す。この実験では、図１に示された採光システムを作製した。採光システムは、図３及び図４を主に参照して説明した上述の採光シートと、サンプル１〜１７に係る光制御具と、を組み合わせた。光制御具は、図５を主に参照して説明した上述の構成を有するものとした。ただし、サンプル１〜１７に係る光制御具の間で、スラット材の反射特性及び反射配向特性が異なるようにした。
【０１２２】
室内と室外を区画する壁部に形成された開口部に、作製した採光システムを実際に組み込んで、室内側からの観察において、眩しさを感じるか否かを確認した。サンプルの反射特性、反射配向特性および眩しさの確認結果を表１に示す。
【０１２３】
【表１】
2019039151.tif 000003
【０１２４】
なお、表１には、サンプルの反射特性として、反射率〔％〕、鏡面反射率〔％〕、拡散反射率〔％〕、拡散反射成分比〔％〕を示している。また、サンプルの反射配向特性として、スラット材の第１面での反射光強度の角度分布における、最高強度が得られる方向に対して両側に１５度以下の角度で傾斜した方向での最低となる強度の、最高強度に対する割合〔％〕を、「±１５°」の欄に示し、スラット材の第１面での反射光強度の角度分布における、最高強度が得られる方向に対して両側に３０度以下の角度で傾斜した方向での最低となる強度の、最高強度に対する割合〔％〕を、「±３０°」の欄に示している。
【０１２５】
また表１の「防眩効果」の欄において、光制御具を室内側から観察した際に、連続配置された複数のスラット材の配列方向に延びる輝線が視認され且つ眩しさを感じたサンプルに対して「×」を付し、採光システムへの光線入射角やスラット材の向きに応じて輝線の存在が確認されることがあったが問題となる程度の眩しさを感じなかったサンプルに対して「○」を付し、輝線の存在が確認されなかったサンプルに対して「◎」を付した。
【０１２６】
ところで、採光時に、スラット材５０は、その板面が入光側となる第１端部５３の側から出光側となる第２端部５４の側に向けてしだいに上方に位置するように傾斜した姿勢で、支持具４１によって保持されている。図２に示すように、このような姿勢にあるスラット材５０の第２面５２で正反射する光Ｌ２３，Ｌ２４の進行方向は、第１方向ｄ１において第２の側ｓ２、すなわち上側に向けられる。そして、第２面５２での反射によって上側に向けられた光の一部Ｌ２４は、隣り合う他のスラット材５０へ入射することなく第２空間ＳＢの奥に進む。このような光は、眩しさの原因とならないだけでなく、室内照明に有効に用いられる。したがって、第１面５１が光拡散反射性を有する場合、第２面５２は光拡散反射性を有している必要はない。むしろ、第２面５２が光拡散反射性を有していない場合には、太陽光のより有効な利用が可能となる。この点において、スラット材５０の第１面５１での拡散反射成分比〔％〕が、当該スラット材の第２面５２での拡散反射成分比〔％〕よりも高くなっていることが好ましい。また、スラット材５０の第１面５１での拡散反射率〔％〕が、当該スラット材の第２面５２での拡散反射率〔％〕よりも高くなっていることが好ましい。
【０１２７】
また、第１面５１に付与される光拡散反射性は、当該光制御具４０を採光シート２０と組み合わせて用いた場合に生じる眩しさに対処するものである。したがって、第１面５１に光拡散反射性を付与されるスラット材５０は、採光シート２０に正対して位置していることが有効である。更に、人は、鉛直方向における上側に位置するスラット材５０から誘導される光を眩しく感じる傾向がある。したがって、第１面５１に光拡散反射性を付与されるスラット材５０は、第１方向ｄ１における第２の側ｓ２に位置していることが有効である。
【０１２８】
なお、採光シート２０が設けられていない領域、すなわち、開口ＯＰの上方領域ｕａを除く位置には、光制御具４０のみが設けられている。この領域においては、光制御具４０に本来的に期待された種々の遮光機能が、光制御具４０によって、発揮され得る。ブラインド４４によって光制御具４０が形成されている場合、ブラインド４４に本来的に期待された種々の機能、例えば、遮光機能、遮熱機能、のぞき見防止機能等が、発揮され得る。そして、この領域に配置されたスラット材５０は、第１面５１における光拡散反射性を有していてもよいし、有していなくてもよい。
【０１２９】
以上に説明したように、第１の実施の形態において、採光システム５の光制御具４０は、入射光の進行方向を第１方向ｄ１における第１の側ｓ１から第２の側ｓ２へ変えて透過させる採光シート２０に対面して配置される。光制御具４０は、第１方向ｄ１に配列された複数のスラット材５０を有している。各スラット材５０は、第１方向ｄ１と非平行な第２方向ｄ２に延びている。少なくとも一部のスラット材５０の第１方向ｄ１において第１の側を向く第１面（裏面、下面）５１が、光拡散反射性を有している。
【０１３０】
採光シート２０の背面に光制御具４０が設けられている場合、採光シート２０で進行方向を偏向させられた跳ね上げ光の一部Ｌ２２，Ｌ２３が、スラット材５０の間を通過することなく、スラット材５０の第１面５１に入射する。スラット材５０は、跳ね上げ光の光路を確保すべく、採光時には採光シート２０に近接する側の第１端部５３が第１方向ｄ１における第１の側（下側）ｓ１に位置するとともに、採光シート２０から離間する側の第２端部５４が第１方向ｄ１における第２の側（上側）ｓ２に位置するよう、その姿勢を調整される。このような姿勢に保持されたスラット材５０の第１面５１に入射した光は、スラット材の第１面で正反射した場合、採光シート２０の法線方向ｎｄに対して大きく傾斜しない方向に進むようになる可能性がある。そして、採光シート２０と光制御具４０との組み合わせに起因したこのような反射光Ｌ２２ａ，Ｌ２３ａは、第２空間ＳＢに居る人に眩しく感知されるようになる。この点について、本実施の形態では、少なくとも一部のスラット材５０の第１面５１が光拡散反射性を有している。したがって、反射光Ｌ２２，Ｌ２３が拡散され、第２空間ＳＢに居る人が感知する眩しさを効果的に低減することができる。
【０１３１】
なお、上述してきた第１の実施の形態に対して様々な変更を加えることが可能である。以下、図面を参照しながら、変形の一例について説明する。以下の説明および以下の説明で用いる図面では、上述した第１の実施の形態と同様に構成され得る部分について、上述の第１の実施の形態における対応する部分に対して用いた符号と同一の符号を用いることとし、重複する説明を省略する。
【０１３２】
上述した第１の実施の形態において、図３及び図４を参照して採光シート２０の一例について説明した。しかしながら、後に説明する他の実施の形態についても同様に適用可能であるが、採光シート２０は、上述した例に限られず、例えば図６〜図８に示すように種々の形式の採光シート２０を利用することができる。
【０１３３】
図６は、プリズム型の採光シート２０を示す縦断面図である。図６に示された採光シート２０は、シート状の本体部３１と、本体部３１上に配列された複数の単位プリズム３２と、を有している。複数の単位プリズム３２は、一方向に配列されている。各単位プリズム３２は、一方向と非平行な方向に線状に延びている。図示された例において、各単位プリズム３２は、一方向に直交する他方向に直線状に延びている。また、複数の単位プリズム３２は、一方向に隙間無く配列されている。一方向及び他方向は、共に、採光シート２０のシート面に沿っている。とりわけ図示された例において、単位プリズム３２の配列方向である一方向は、光制御具４０のスラット材５０の配列方向である第１方向ｄ１に一致している。また、単位プリズム３２の長手方向である他方向は、光制御具４０のスラット材５０の長手方向である第２方向ｄ２に一致している。
【０１３４】
図６に示された例において、採光シート２０の入光側面が、単位プリズム３２によって形成されたプリズム面３３となっている。各単位プリズム３２は、第１方向ｄ１における第１の側ｓ１に位置する第１プリズム面３３ａと、第１方向ｄ１における第２の側ｓ２に位置する第２プリズム面３３ｂと、を有している。第２プリズム面３３ｂは、太陽光Ｌ６１の入射面となり、第１プリズム面３３ａは、入射した太陽光Ｌ６１を全反射により跳ね上げる反射面となる。
【０１３５】
なお、図６に示されたプリズム型の採光シート２０は、屈折率が１である空気との界面での全反射により光を偏向させる。したがって、全反射の臨界角条件が広く、広範な角度域からの入射光に対し、光偏向機能を発現することができる。そのため、他の種類の採光シートと比較して、鉛直上方向への光跳ね上げ量が大きく、スラット面での眩しさが年中を通して問題になりやすい。したがって、このようなプリズム型の採光シートとの組み合わせにおいて、防眩機能を発現可能な光制御具４０は非常に有用である。
【０１３６】
プリズム型の採光シート２０としては、図６に示された例とは異なり、単位プリズム３２が本体部３１から出光側に突出していてもよい。また、プリズム型の採光シート２０における光路変更機能が、全反射ではなく、屈折や回折によって生じるようにしてもよい。
【０１３７】
図７は、クレーズ型の採光シート２０を示す縦断面図である。クレーズは、クレイズとも表記されることがあり、樹脂フィルムに形成された略直線状のひび、あるいは割れ目を意味している。とりわけ、図７に示されたクレーズは、樹脂フィルムに形成されるひびあるいは割れ目の壁面間に樹脂フィブリル３５ａ、すなわち繊維状の樹脂が残存している。ただし、図７に示された例とは異なり、樹脂フィブリル３５ａが残存していない単なるクラックからなるクレーズを採用してもよい。
【０１３８】
図７に示された採光シート２０は、樹脂フィルムからなる本体部３４を有している。本体部３４の入光側となる面に、複数のクレーズ３５が形成されている。複数のクレーズ３５は、一方向に配列されている。各クレーズ３５は、一方向と非平行な方向に線状に延びている。図示された例において、各クレーズ３５は、一方向に直交する他方向に直線状に延びている。一方向及び他方向は、共に、採光シート２０のシート面に沿っている。とりわけ図示された例において、クレーズ３５の配列方向である一方向は第１方向ｄ１に一致し、光制御具４０のスラット材５０の配列方向である第１方向ｄ１に一致している。また、クレーズ３５の長手方向である他方向は、光制御具４０のスラット材５０の長手方向である第２方向ｄ２に一致している。
【０１３９】
クレーズ３５は、例えば、刃物やブレードなどの先端が鋭利な直線状の板で、直線に沿った微小な曲げ変形を樹脂フィルムに付与することで得ることができる。この場合、クレーズ３５内には、樹脂フィブリル３５ａおよび空隙３５ｂが存在するようになる。なお、図６においては、１つの空隙３５ｂのみを代表的に図示している。図７に示された例において、クレーズ３５内に進行した太陽光Ｌ７１は、樹脂フィブリル３５ａと空隙３５ｂとの界面において反射、とりわけ全反射し、その進行方向を跳ね上げられる。クレーズ型の採光シート２０では、空隙３５ｂが不規則的に設けられるので、太陽光Ｌ７１は、或る程度限られた角度範囲内で拡散し、これにより、ぎらつきの発生を効果的に抑制することができる。このような採光シート２０は、採光シート２０自体が光拡散効果を有し防眩機能を発現するため、防眩機能を有する光制御具２０との組み合わせによって、より効果的に眩しさを低減することができる。
【０１４０】
図８は、ミラールーバー型の採光シート２０を示す縦断面図である。図８に示された採光シート２０は、本体部３６と、本体部に形成された複数の反射部３７と、を有している。複数の反射部３７は、一方向に配列されている。各反射部３７は、一方向と非平行な方向に線状に延びている。図示された例において、各反射部３７は、一方向に直交する他方向に直線状に延びている。一方向及び他方向は、共に、採光シート２０のシート面に沿っている。とりわけ図示された例において、反射部３７の配列方向である一方向は、光制御具４０のスラット材５０の配列方向である第１方向ｄ１に一致している。また、反射部３７の長手方向である他方向は、光制御具４０のスラット材５０の長手方向である第２方向ｄ２に一致している。
【０１４１】
本体部３６には切り込み３６ａが形成され、この切り込み３６ａ内に反射部３７が設けられている。図８に示された例において、太陽光Ｌ８１は、反射部３７の上面３７ａにおいて反射し、その進行方向を跳ね上げられる。反射部３７は、例えば、切り込み３６ａ内に充填されたアルミニウム等の高反射率材料によって形成される。この例において、反射部３７での反射は、正反射、言い換えると鏡面反射になる。他の例として、反射部３７は、切り込み３６ａ内の空隙としてもよい。この例において、反射部３７での反射は、屈折率差を利用した全反射とすることができる。
【０１４２】
また、採光シート２０が光拡散層を有するようにしてもよい。一例として、図８に示された採光シート２０は、光拡散層３８を有している。光拡散層３８は、光拡散機能を有することで、防眩機能を発現することができる。このような光拡散層３８を有する採光シート２０によれば、防眩機能を有する光制御具２０との組み合わせによって、より効果的に眩しさを低減することができる。
【０１４３】
他の変形例として、上述した第１の実施の形態では、光制御具４０の一部が、採光シート２０に対面する例を示したが、これに限られない。例えば、図９に示すように、光制御具４０に含まれる全てのスラット材５０が、光制御具４０に対面して配置されるようにしてもよい。また、上述した第１の実施の形態において、採光シート２０が、透光部材１０の上方領域ｕａ上のみに配置されている例を示したが、これに限られない。例えば、採光シート２０が、透光部材１０の下方領域ｌａ上のみに配置されるようにしてもよいし、透光部材１０の中央領域上のみに配置されるようにしてもよいし、図１０に示すように透光部材１０の全領域上に配置されるようにしてもよい。なお、これらの変形例も、後に説明する他の実施の形態に対しても同様に適用可能である。
【０１４４】
他の変形例として、後に説明する他の実施の形態に対しても同様に当てはまるが、採光シート２０及び光制御具４０を含む採光システム５は、種々の形式の透光部材、開口ＯＰ、構造体２に対して適用可能である。
【０１４５】
例えば、上述した第１の実施の形態において、採光シート２０が、第２空間ＳＢの側から透光部材１０に積層されている例を示したが、この例に限れられず、第１空間ＳＡの側から透光部材１０に積層されていてもよい。
【０１４６】
また、上述した第１の実施の形態において、開口ＯＰに単一の透光部材１０が設けられ、この透光部材１０に対して採光システム５が適用される例を示したが、これに限られない。図１０に示すように、透光部材１０が、複数の透光部材を接合してなる合わせガラスとして形成されていてもよい。とりわけ、図１０に示された例では、特に限定されるものではないが、採光シート２０が、合わせガラスをなす複数の透光部材の間に配置されている。
【０１４７】
また、空隙を介在させて配置された複数の透光部材１０を有する重ね窓３が開口ＯＰに設けられ、この重ね窓３に対して採光システム５が適用されるようにしてもよい。図１１に示された例において、構造体２の開口ＯＰには枠部材１６が設置されている。枠部材１６には、透光部材１０と第１透光部材１１とが保持されている。透光部材１０が、入光側となる第１空間ＳＡ側に位置し、第１透光部材１１が、出光側となる第２空間ＳＢ側に位置している。透光部材１０及び第１透光部材１１の間には、空隙が形成されている。透光部材１０及び第１透光部材１１は、いわゆるペアガラスを構成している。なお、第１透光部材１１は、上述した透光部材１０と同様に構成され得る。第１透光部材１１は、透光部材１０と同一の材料で形成されていてもよいし、透光部材１０とは異なる材料で形成されていてもよい。図１１に示された例では、第１透光部材１１に第２空間ＳＢの側から採光シート２０が積層されている。ただし、この例に限られず、採光シート２０は、第１透光部材１１に第１空間ＳＡの側から積層されていてもよいし、透光部材１０に第１空間ＳＡの側から積層されていてもよいし、透光部材１０に第２空間ＳＢの側から積層されていてもよい。
【０１４８】
さらに、図１２〜図１４に示された例において、構造体２の開口ＯＰに設けられた重ね窓３は、はいわゆる二重窓となっている。図１２〜図１４に示された例において、開口ＯＰに枠部材１６が設けられ、枠部材１６が透光部材１０を保持している。また、枠部材１６には、枠部材１６とは別途に枠体１７が設けられており、枠体１７が第１透光部材１１を保持している。枠部材１６に支持された透光部材１０と、枠体１７に支持された第１透光部材１１との間には、空隙が形成されている。図示された例において、透光部材１０が、入光側となる第１空間ＳＡ側に位置し、外窓を形成している。第１透光部材１１が、出光側となる第２空間ＳＢ側に位置し、内窓を形成している。
【０１４９】
図示された例において、枠体１７は、構造体２に取り付けられているが、枠部材１６に取り付けられるようにしてもよい。また、枠体１７は、構造体２や枠部材１６に後付けで設置されるようにしてもよく、この例において、枠体１７は、構造体２や枠部材１６から取り外し可能となっていてもよい。図１２に示された例において、光制御具４０の支持具４１は、枠体１７に取り付けられている。採光シート２０は、第１透光部材１１に第２空間ＳＢの側から積層されている。ただし、この例に限られず、採光シート２０は、第１透光部材１１に第１空間ＳＡの側から積層されていてもよいし、透光部材１０に第１空間ＳＡの側から積層されていてもよいし、図１３に示すように透光部材１０に第２空間ＳＢの側から積層されていてもよい。また、採光シート２０の配置にともなって、光制御具４０も、図示された第１透光部材１１の第２空間ＳＢ側に限られることなく、透光部材１０及び第１透光部材１１の間に配置されていてもよい。
【０１５０】
図１４に示された例において、枠体１７には、第１透光部材１１に加えて第２透光部材１２も保持されている。図１４に示された例では、内窓が、第１透光部材１１及び第２透光部材１２を有するペアガラスとなっている。図１４に示された例において、採光シート２０は、第１透光部材１１に第２空間ＳＢの側から積層されている。ただし、この例に限られず、採光シート２０は、第１透光部材１１に第１空間ＳＡの側から積層されていてもよいし、第２透光部材１２に第１空間ＳＡの側から積層されていてもよいし、第２透光部材１２に第２空間ＳＢの側から積層されていてもよいし、透光部材１０に第１空間ＳＡの側から積層されていてもよいし、透光部材１０に第２空間ＳＢの側から積層されていてもよい。また、図１４に示された例において、光制御具４０は、第１透光部材１１及び第２透光部材１２の間において、枠体１７に支持されている。ただし、光制御具４０の配置は、採光シート２０と同様に種々の変更が可能であり、例えば、第２透光部材１２の第２空間ＳＢ側に支持されていてもよいし、透光部材１０と第１透光部材１１の間に支持されていてもよい。
【０１５１】
なお、第１透光部材１１、採光シート２０及び光制御具４０は、組立キット４として取り扱われても良い。すなわち、第１透光部材１１、採光シート２０及び光制御具４０の組み合わせが、組立キット４として流通または販売され、建物１や移動体に設置されるようにしてもよい。組立キット４は、枠体１７を更に有していても良い。この場合、組立キット４に含まれる採光シート２０を、いずれかの透光部材１０，１１，１２に貼合し、次に、枠体１７を枠部材１６又は構造体２に設置し、光制御具４０を枠体１７に取り付けることで、組立キット４を設置して重ね窓３を作製することができる。
【０１５２】
なお、以上において第１の実施の形態に対するいくつかの変形例を説明してきたが、当然に、複数の変形例を適宜組み合わせて適用することも可能である。
【０１５３】
＜第２の実施の形態＞
次に、図１６及び図１７を参照して、第２の実施の形態について説明する。第２の実施の形態は、光制御具４０のスラット材５０が光拡散透過性を有することを特徴としており、その他において他のいずれかの実施の形態と同一に構成され得る。例えば、採光システム５が適用される構造体２、開口ＯＰ、透光部材、採光システム５の採光シート２０、光制御具４０の支持具４１については、その変形例も含めて上述の第１の実施の形態と同一に構成され得る。以下の説明および以下の説明で用いる図面では、他のいずれかの実施の形態と同様に構成され得る部分について、他の実施の形態における対応する部分に対して用いた符号と同一の符号を用いることとし、重複する説明を省略する。
【０１５４】
第２の実施の形態では、従来の採光システムの不具合に対処するため、少なくとも一部のスラット材５０が光拡散透過性を有している。後述するように、スラット材５０に光拡散透過性を付与することで、スラット材５０での反射に起因する眩しさを効果的に回避することができる。防眩性を確保する観点から、このスラット材５０の光拡散透過成分比は９０％以上であることが好ましい。また、採光と防眩とを両立させる観点から、スラット材５０の拡散透過率は、４０％以上７０％以下であることが好ましい。
【０１５５】
ここで、拡散透過成分比〔％〕は、拡散透過率〔％〕の透過率〔％〕に対する割合であって、言い換えると、全ての透過光に含まれる拡散透過光の割合を意味する。透過率〔％〕とは、入射光に対する全ての透過光の割合である。そして、このすべての透過光には、拡散透過成分および正透過成分の両方が含まれる。つまり、透過率〔％〕は、拡散透過率〔％〕および正透過率〔％〕を足し合わせた値〔％〕となる。
【０１５６】
透過率〔％〕は、紫外可視赤外分光光度計（日本分光株式会社製  Ｖ−６７０）、及び１５０ｍｍφ積分球ユニット（日本分光株式会社製  ＩＬＮ−７２５ＶＡ）を用い、光線入射角４０度条件設定にて、測定波長３８０ｎｍ〜７８０ｎｍ範囲の反射スペクトルを測定し、ＪＩＳ  Ａ  ５７５９記載の手順に従い算出される。正透過率（％）は、紫外可視赤外分光光度計（日本分光株式会社製  Ｖ−６７０）、及び自動絶対反射率測定ユニット（日本分光株式会社製  ＡＲＭＮ−７３５）を用い、光線入射角４０度条件設定にて、測定波長３８０ｎｍ〜７８０ｎｍ範囲の反射スペクトルを測定し、ＪＩＳ  Ａ  ５７５９記載の手順に従い算出される。拡散透過率〔％〕は、透過率〔％〕から正透過率〔％〕を引いた値〔％〕として特定される。
【０１５７】
さらに、スラット材５０の第１面５１へ光線を入射させた際の透過光の強度の角度分布において、最高強度が得られる方向に対して両側に３０度以下の任意の角度で傾斜した方向での強度、すなわち、最高強度が得られる方向を中心とした６０度の角度範囲内の任意の方向での強度が、最高強度の２０％以上であることが好ましく、最高強度の４０％以上であることがより好ましい。このような条件が満たされる場合、スラット材５０の拡散透過特性が強くなり、防眩機能を改善することができる。なお、透過光の強度の角度分布は、入射光の光路上に位置し且つ入射面の法線方向と平行な面上で強度測定方向を変化させていき、取得する。透過光の強度の角度分布は、三次元変角分光測色システム（村上色彩技術研究所  ＧＣＭＳ−１１）を用いて測定した値とする。また、入射光は、入射角４０°でスラット材に入射させる。
【０１５８】
なお、光拡散透過性を有するスラット材５０は、第１方向ｄ１における第２の側ｓ２、すなわち図示された例では、鉛直方向における上側に配置されていることが有効である。この領域において、眩しさが感知されやすいためである。
【０１５９】
また、図１５に示された例において、光制御具４０は、その一部において、採光シート２０に対面している。そして、採光シート２０に正対する全て又は一部のスラット材５０に対して、光拡散透過性が付与されていることが好ましい。その一方で、採光シート２０に正対しないスラット材５０も含めて、光制御具４０に含まれる全てのスラット材５０に対して、光拡散透過性が付与されていてもよいし、付与されていなくてもよい。
【０１６０】
次に、以上の構成からなる採光システム５及び光制御具４０の作用について説明する。
【０１６１】
既に第１の実施の形態において説明したように、採光シート２０は、第１空間ＳＡの側から入射してくる光を、その進行方向を跳ね上げるように変化させて、透過させる。図１５及び図１６に示すように、採光時、採光シート２０の出光側に位置するスラット材５０は、その板面が入光側となる第１端部５３の側よりも出光側となる第２端部５４の側で上方に位置するように傾斜した姿勢で、支持具４１によって保持されている。したがって、跳ね上げ光Ｌ１５１，Ｌ１６１は、光制御具４０のスラット材５０の間を通過することが可能となる。跳ね上げ光Ｌ１５１，Ｌ１６１は、透光部材１０が設置された位置から離間した室内の奥側の領域まで到達することができる。すなわち、この採光システム５によれば、室内照明のための採光機能が有効に発現されるので、室内灯具の使用を抑制することができ、省エネルギー及びＣＯ２の削減を図ることができる。
【０１６２】
ところが、採光シート２０の背面に光制御具４０を設けた場合、第２空間ＳＢから、光制御具４０が眩しく観察されることが生じた。この原因について調査を行ったところ、採光シート２０を光制御具４０と組み合わせて使用することにともなって、これまで生じていなかった次に説明する問題が生じ得ることが確認された。
【０１６３】
まず、図１６に示すように、採光シート２０で進行方向を偏向させられた跳ね上げ光の一部Ｌ１６２ａが、スラット材５０の間を通過することなく、スラット材５０の第１面（裏面、下面）に入射していた。そして、スラット材５０は、入光側となる第１端部５３よりも出光側となる第２端部５４の方が上側に位置する姿勢で保持されている。したがって、スラット材５０の下側を向く第１面５１で正反射した光Ｌ１６２ａは、おおむね、第２空間ＳＢに居る人に向けて進み、このため、光制御具４０が眩しく観察されていた。
【０１６４】
また、図１６に示すように、採光シート２０で大きく進行方向を変化させられなかった光の一部Ｌ１６３ａが、一つのスラット材５０の上側を向く第２面５２で反射し、次に、当該スラット材５０の上側に位置する他の一つのスラット材５０の下側を向く第１面５１に入射していた。スラット材５０の下側を向く第１面５１で正反射した光Ｌ１６３ａは、おおむね、第２空間ＳＢに居る人に向けて進み、このため、光制御具４０が眩しく観察されていた。
【０１６５】
このような不具合に対して、第２の実施の形態では、少なくとも一部のスラット材５０が、光拡散透過性を有している。したがって、図１６に示すように、スラット材５０に入射する光Ｌ１６２，Ｌ１６３は、当該スラット材５０の第１面５１や第２面５２で反射されることなく、当該スラット材５０を拡散しながら透過する。これにより、採光シート２０とともに光制御具４０を用いることにともなって生じていた眩しさに効果的に対処することができる。すなわち、第２空間ＳＢの側から観察した際に光制御具４０が眩しく観察されることを効果的に防止することができる。とりわけ、第１面５１での拡散透過成分比が９０％以上となっている場合には、通常の注意力での観察において、光制御具４０に眩しさを感じることはなかった。また、スラット材５０の透過光の強度の角度分布において、最高強度が得られる方向に対して両側に３０度以下の任意の角度で傾斜した方向での強度が、最高強度の２０％以上となっている場合にも、光制御具４０に眩しさを感じることはなかった。
【０１６６】
ここで、本件発明者が実施した実験結果の一部を示す。この実験では、図１に示された採光システムを作製した。採光システムは、図３及び図４を主に参照して説明した上述の採光シートと、サンプル１８〜２４に係る光制御具と、を組み合わせた。光制御具は、図５を主に参照して説明した上述の構成を有するものとした。ただし、サンプル１〜１７に係る光制御具の間で、スラット材の透過特性及び透過配向特性が異なるようにした。
【０１６７】
室内と室外を区画する壁部に形成された開口部に作製した採光システムを実際に組み込んで、室内側からの観察において、眩しさを感じるか否かを確認した。サンプルの透過特性、透過配向特性および眩しさの確認結果を表２に示す。
【０１６８】
【表２】
2019039151.tif 000004
【０１６９】
なお、表２には、サンプルの透過特性として、透過率〔％〕、正透過率〔％〕、拡散透過率〔％〕、拡散透過成分比〔％〕を示している。また、サンプルの透過配向特性として、スラット材の透過光強度の角度分布における、最高強度が得られる方向に対して両側に１５度以下の角度で傾斜した方向での最低となる強度の、最高強度に対する割合〔％〕を、「±１５°」の欄に示し、スラット材の透過光強度の角度分布における、最高強度が得られる方向に対して両側に３０度以下の角度で傾斜した方向での最低となる強度の、最高強度に対する割合〔％〕を、「±３０°」の欄に示している。
【０１７０】
また表２の「防眩効果」の欄において、光制御具を室内側から観察した際に、連続配置された複数のスラット材の配列方向に延びる輝線が視認され且つ眩しさを感じたサンプルに対して「×」を付し、輝線の存在が確認されなかったサンプルに対して「○」を付した。
【０１７１】
このようなスラット材５０に付与される光拡散透過性は、当該光制御具４０を採光シート２０と組み合わせ用いた場合に生じる眩しさに対処するものである。したがって、光拡散透過性を付与されるスラット材５０は、採光シート２０に正対して位置していることが有効である。更に、人は、鉛直方向における上側に位置するスラット材５０から誘導される光を眩しく感じる傾向がある。したがって、光拡散透過性を付与されるスラット材５０は、第１方向ｄ１における第２の側ｓ２に位置するスラット材５０であることが有効である。
【０１７２】
なお、図１５に示すように、採光シート２０での光路変更機能によって所望の方向に光路を曲げられない光も発生し得る。例えば、採光シート２０の法線方向に対して大きく傾斜しない光Ｌ１５２、典型的には、採光シート２０の法線方向よりも僅かに下側に傾斜した方向に進む光Ｌ１５２も生じ得る。このような光は、第２空間ＳＢに居る人の顔に向けて進みやすく、結果として、当該人が眩しさを感じる原因となる。光制御具４０を採光シート２０とともに設置する理由の一つは、このような眩しさに対する対処するためのである、光透過性を有さないスラット材であれば、眩しさの原因となる光を遮蔽することによって防眩機能を発揮することができる。一方、光拡散透過性を有するスラット材５０も、上述したように、眩しさの原因となる光の直進を規制することで、防眩機能を十分に発揮することができる。
【０１７３】
なお、図１５に示すように、採光シート２０が設けられていない領域、すなわち、開口ＯＰの上方領域ｕａを除く下方領域ｌａには、光制御具４０のみが設けられている。この領域ｌａに位置するスラット材５０が光透過性を有していない場合、この領域において光制御具４０は遮光装置として機能し得る。とりわけ、ブラインド４４によって光制御具４０が形成されている場合には、ブラインド４４に本来的に期待された種々の機能、例えば、遮光機能、遮熱機能、のぞき見防止機能等が、発揮され得る。したがって、採光シート２０に正対しない領域に配置されたスラット材５０は、光拡散透過性を有していてもよいし、有していなくてもよい。
【０１７４】
以上に説明したように、第２の実施の形態において、採光システム５の光制御具４０は、入射光の進行方向を第１方向ｄ１における第１の側ｓ１から第２の側ｓ２へ変えて透過させる採光シート２０に対面して配置される。光制御具４０は、第１方向ｄ１に配列された複数のスラット材５０を有している。各スラット材５０は、第１方向ｄ１と非平行な第２方向ｄ２に延びている。少なくとも一部のスラット材５０が、光拡散透過性を有している。
【０１７５】
採光シートでの光路変更機能により、採光シート２０を透過した光の一部Ｌ１５１，Ｌ１６１が進行方向を偏向させられる。この跳ね上げ光Ｌ１５１，Ｌ１６１は、第２空間（例えば屋内）ＳＢの奥の領域まで到達することができる。これにより、外光を第２空間ＳＢに有効に取り組むことが可能となる。その一方で、採光シート２０の背面に光制御具４０が設けられている場合、採光シート２０で進行方向を偏向させられた跳ね上げ光Ｌ１６２，Ｌ１６３の一部が、スラット材５０の間を通過することなく、スラット材５０の第１面（裏面、下面）に入射する。スラット材５０は、跳ね上げ光の光路を確保すべく、採光時には採光シート２０に近接する側の第１端部５３が第１方向ｄ１における第１の側（下側）ｓ１に位置するとともに、採光シート２０から離間する側の第２端部５４が第１方向ｄ１における第２の側（上側）ｓ２に位置するよう、その姿勢を調整される。このような姿勢に保持されたスラット材５０の第１面５１に入射した光は、スラット材５０の第１面５１で反射した後に、採光シート２０の法線方向ｎｄに対して大きく傾斜しない方向に進むようになる。そして、採光シート２０と光制御具４０との組み合わせに起因したこのような反射光Ｌ１６２ａ，Ｌ１６３ａは、第２空間に居る人に眩しく感知されるようになる。この点について、本実施の形態では、少なくとも一部のスラット材５０が光拡透過性を有している。したがって、スラット材５０の第１面５１での反射を効果的に抑制することができる。また、スラット材５０を透過した光は拡散される。したがって、第２空間ＳＢに居る人が感知する眩しさを効果的に低減することができる。
【０１７６】
なお、上述してきた第２の実施の形態に対して様々な変更を加えることが可能である。例えば、第１の実施の形態と同様に、採光シート２０の構成を適宜変更してもよいし、採光システム５が適用される構造体２、開口ＯＰ、透光部材の構成を適宜変更してもよいし、支持具４１の構成を適宜変更してもよい。また、第１の実施の形態と同様に、透光部材、採光シート２０及び光制御具４０が、組立キット４を構成して、この組立キット４の単位で取り扱われるようにしてもよい。
【０１７７】
＜第３の実施の形態＞
次に、図１７を参照して、第３の実施の形態について説明する。第３の実施の形態は、採光シート２０に対面する位置に配置されたスラット材５０と、採光シート２０に対面しない位置に配置されたスラット材５０とで、第１面５１での反射率が異なる点を特徴としており、その他において他のいずれかの実施の形態と同一に構成され得る。例えば、採光システム５が適用される透光部材、採光システム５の採光シート２０、光制御具４０の支持具４１については、その変形例も含めて上述の第１の実施の形態と同一に構成され得る。以下の説明および以下の説明で用いる図面では、他の実施の形態と同様に構成され得る部分について、他の実施の形態における対応する部分に対して用いた符号と同一の符号を用いることとし、重複する説明を省略する。
【０１７８】
第３の実施の形態では、図１に示された例のように、光制御具４０は、その一部分において、採光シート２０に対面する。すなわち、光制御具４０に含まれる一部のスラット材５０は採光シート２０に対面し、残りのスラット材５０は採光シート２０に対面しない。ここで対面するとは、採光シート２０の法線方向ｎｄに沿って対面するか否かで判断する。
【０１７９】
採光シート２０に対面する位置に配置されるスラット材５０の第１方向ｄ１において第１の側（下側）ｓ１を向く第１面（裏面、下面）５１での反射率〔％〕が、採光シート２０に対面しない位置に配置されるスラット材５０の第１面（裏面、下面）５１での反射率〔％〕よりも、低くなっている。後述する不具合を回避する観点から、採光シート２０に対面する位置に配置されるスラット材５０の第１方向ｄ１において第１の側（下側）ｓ１を向く第１面（裏面、下面）５１での反射率〔％〕は、採光シート２０に対面しない位置に配置されるスラット材５０の第１面（裏面、下面）５１での反射率〔％〕の５０％以上７０％以下となっており、且つ、採光シート２０に対面する位置に配置されるスラット材５０の第１面５１での反射率は３０％以上７０％以下であることが好ましい。ここで、反射率〔％〕は、入射光に対する全ての反射光の割合〔％〕であり、すべての反射光には、鏡面反射光および拡散反射光が含まれる。紫外可視赤外分光光度計（日本分光株式会社製  Ｖ−６７０）、及び１５０ｍｍφ積分球ユニット（日本分光株式会社製  ＩＬＮ−７２５ＶＡ）を用い、光線入射角４０度条件設定にて、測定波長３８０ｎｍ〜７８０ｎｍ範囲の反射スペクトルを測定し、ＪＩＳ  Ａ  ５７５９記載の手順に従い算出される。
【０１８０】
次に、以上の構成からなる採光システム５及び光制御具４０の作用について説明する。
【０１８１】
既に第１の実施の形態において説明したように、採光シート２０は、第１空間ＳＡの側から入射してくる光を、その進行方向を跳ね上げるように変化させて、透過させる。図１７に示すように、採光時、採光シート２０の出光側に位置するスラット材５０は、その板面が入光側となる第１端部５３の側よりも出光側となる第２端部５４の側で上方に位置するように傾斜した姿勢で、支持具４１によって保持されている。したがって、跳ね上げ光Ｌ１７１は、光制御具４０のスラット材５０の間を通過することが可能となる。跳ね上げ光Ｌ１７１は、透光部材１０が設置された位置から離間した室内の奥側の領域まで到達することができる。
【０１８２】
ただし、図１に示すように、採光シート２０での光路変更機能によって、光路を十分に跳ね上げられない光Ｌ１２，Ｌ１３も発生し得る。既に説明したように、このような光Ｌ１２，Ｌ１３は、眩しさや温度上昇の原因となる。光制御具４０は、これらの光Ｌ１２，Ｌ１３を遮光し、防眩および遮熱機能が発揮される。すなわち、光制御具４０は、不所望な光Ｌ１２，Ｌ１３に対して遮光機能を発揮する一方で、跳ね上げ光Ｌ１１，Ｌ１７１の第２空間ＳＢへの進行を害することなく、これにより、太陽光を第２空間ＳＢに有効に取り組むことが可能となる。
【０１８３】
ところが、採光シート２０の背面に光制御具４０を設けた場合、第２空間ＳＢから、光制御具４０の採光シート２０と対面する領域が全体的に眩しく観察されることがあった。この原因について調査を行ったところ、採光シート２０を光制御具４０と組み合わせて使用することにともなって、これまで生じていなかった次に説明する問題が生じ得ることが確認された。
【０１８４】
まず、図１７に示すように、採光シート２０で進行方向を偏向させられた跳ね上げ光の一部Ｌ１７２ａが、スラット材５０の間を通過することなく、スラット材５０の第１面（裏面、下面）に入射していた。そして、スラット材５０は、入光側となる第１端部５３よりも出光側となる第２端部５４の方が上側に位置する姿勢で保持されている。したがって、スラット材５０の下側を向く第１面５１で反射した光Ｌ１７２ａは、おおむね、第２空間ＳＢに居る人に向けて進み、このため、光制御具４０が眩しく観察されていた。
【０１８５】
また、図１７に示すように、採光シート２０で大きく進行方向を変化させられなかった光の一部Ｌ１７３ａが、一つのスラット材５０の上側を向く第２面５２で反射し、次に、当該スラット材５０の上側に位置する他の一つのスラット材５０の下側を向く第１面５１に入射していた。スラット材５０の下側を向く第１面５１で反射した光Ｌ１７３ａは、おおむね、第２空間ＳＢに居る人に向けて進み、このため、光制御具４０が眩しく観察されていた。
【０１８６】
このような不具合に対して、第３の実施の形態では、採光シート２０に対面する位置に配置されるスラット材５０の第１方向ｄ１において第１の側（下側）ｓ１を向く第１面（裏面、下面）５１での反射率が、採光シート２０に対面しない位置に配置されるスラット材５０の第１面（裏面、下面）５１での反射率よりも、低くなっている。この結果、図１７に示すように、採光シート２０に対面して配置されたスラット材５０からの反射光Ｌ１７２ｒ，Ｌ１７３ｒの光量を抑えることができる。この点について鋭意検討を重ねたところ、光制御具４０の採光シート２０に対面する領域が眩しく観察される現象は、いわゆる明暗グレアの発生であり、光制御具４０の採光シート２０に対面する領域からの反射光量そのものだけでなく、光制御具４０の採光シート２０に対面する領域と、当該領域に隣接する光制御具４０の採光シート２０に対面しない領域と、の明暗差にも大きく起因していた。このため、光制御具４０の採光シート２０に対面する領域からの反射光量と、光制御具４０の採光シート２０に対面しない領域からの反射光量とを揃えることによって、眩しさを顕著に低減し得ることが知見された。したがって、採光シート２０に対面する位置に配置されるスラット材５０の第１面５１での反射率を、採光シート２０に対面しない位置に配置されるスラット材５０の第１面５１での反射率よりも低くすることで、眩しさを効果的に低減することができた。
【０１８７】
なお、採光シート２０に対面する位置に配置されるスラット材５０の第１面５１での反射率が３０％以上７０％以下となっている場合には、通常の注意力での観察において、光制御具４０に眩しさを感じることはなかった。
【０１８８】
ところで、採光時に、スラット材５０は、その板面が入光側となる第１端部５３の側よりも出光側となる第２端部５４において上方に位置するように傾斜した姿勢で、支持具４１によって保持されている。図１７に示すように、このような姿勢にあるスラット材５０の第２面５２で正反射する光Ｌ１７３，Ｌ１７４の進行方向は、第１方向ｄ１において第２の側ｓ２、すなわち上側に向けられる。そして、第２面５２での反射によって上側に向けられた光の一部Ｌ１７４は、隣り合う他のスラット材５０へ入射することなく第２空間ＳＢの奥に進む。このような光は、眩しさの原因とならないだけでなく、室内照明に有効に用いられる。したがって、第１面５１の反射率を抑えた場合、第２面５２の反射率を抑える必要はない。むしろ、第２面５２が高反射率を有している場合には、太陽光のより有効な利用が可能となる。この点において、採光シート２０に対面する位置に配置されたスラット材５０について、第２面５２での反射率が第１面５１での反射率よりも高くなっていることが好ましい。
【０１８９】
以上に説明したように、第３の実施の形態において、採光システム５の光制御具４０は、入射光の進行方向を第１方向ｄ１における第１の側ｓ１から第２の側ｓ２へ変えて透過させる採光シート２０に対面して配置される。光制御具４０は、第１方向ｄ１に配列された複数のスラット材５０を有している。各スラット材５０は、第１方向ｄ１と非平行な第２方向ｄ２に延びている。採光シート２０に対面する位置に配置されるスラット材５０の第１方向ｄ１において第１の側（下側）ｓ１を向く第１面（裏面、下面）５１での反射率が、採光シート２０に対面しない位置に配置されるスラット材５０の第１面（裏面、下面）５１での反射率よりも、低くなっている。
【０１９０】
採光シート２０での光路変更機能により、採光シート２０を透過した光の一部Ｌ１７１が進行方向を偏向させられる。この跳ね上げ光Ｌ１７１は、第２空間（例えば屋内）ＳＢの奥の領域まで到達することができる。これにより、外光を第２空間ＳＢに有効に取り組むことが可能となる。その一方で、採光シート２０の背面に光制御具４０が設けられている場合、採光シート２０で進行方向を偏向させられた跳ね上げ光Ｌ１７２，Ｌ１７３の一部が、スラット材５０の間を通過することなく、スラット材５０の第１面（裏面、下面）５１に入射する。スラット材５０は、跳ね上げ光の光路を確保すべく、採光時には採光シートに近接する側の第１端部５３が第１方向ｄ１における第１の側（下側）ｓ１に位置するとともに、採光シート２０から離間する側の第２端部５４が第１方向ｄ１における第２の側（上側）ｓ２に位置するよう、その姿勢を調整される。このような姿勢に保持されたスラット材５０の第１面５１に入射した光は、スラット材５０の第１面５１で反射した後に、採光シート２０の法線方向ｎｄに対して大きく傾斜しない方向に進むようになる。採光シート２０と光制御具４０との組み合わせに起因したこのような反射光は、第２空間ＳＢに居る人に眩しく感知されるようになる。ここで、光制御具４０は、その一部分において、採光シート２０と対面することがある。この場合、光制御具４０の採光シート２０と対面しない領域では眩しさの問題が生じないため、コントラストにより、光制御具４０の採光シート２０と対面する領域では、実際の明るさ以上に眩しく感知されるようになる。
【０１９１】
この点について、本実施の形態では、採光シート２０に対面する位置に配置されるスラット材５０の第１面（裏面、下面）５１での反射率が、採光シート２０に対面しない位置に配置されるスラット材５０の第１面（裏面、下面）５１での反射率よりも、低くなっている。このため、採光シート２０に対面する位置に配置されるスラット材５０の第１面５１での反射を効果的に抑制することができる。これにより、光制御具４０の採光シート２０と対面しない領域と、光制御具４０の採光シート２０と対面する領域での明るさの差を効果的に低減することができる。この結果、第２空間ＳＢに居る人が感知する眩しさを効果的に低減することができる。
【０１９２】
なお、上述してきた第３の実施の形態に対して様々な変更を加えることが可能である。例えば、第１及び第２の実施の形態と同様に、採光シート２０の構成を適宜変更してもよいし、採光システム５が適用される構造体２、開口ＯＰ、透光部材の構成を適宜変更してもよいし、支持具４１の構成を適宜変更してもよい。また、第１及び第２の実施の形態と同様に、透光部材、採光シート２０及び光制御具４０が、組立キット４を構成して、この組立キット４の単位で取り扱われるようにしてもよい。
【０１９３】
また、第１の実施の形態で説明した光拡散反射性を、第３の実施の形態のスラット材５０の第１面５１が有するようにしてもよい。また、第２の実施の形態で説明した光拡散透過性を、第３の実施の形態のスラット材５０が有するようにしてもよい。
【０１９４】
＜第４の実施の形態＞
次に、図１８及び図１９を参照して、第４の実施の形態について説明する。第４の実施の形態は、スラット材５０の幅ｈに対するスラット材５０の配列ピッチｄの比の値α（α＝ｄ／ｈ）を調整した点を特徴としており、その他において他のいずれかの実施の形態のいずれかと同一に構成され得る。例えば、採光システム５が適用される構造体２、開口ＯＰ、透光部材、採光システム５の採光シート２０、光制御具４０の支持具４１については、その変形例も含めて上述の第１の実施の形態と同一に構成され得る。以下の説明および以下の説明で用いる図面では、他の実施の形態と同様に構成され得る部分について、他の実施の形態における対応する部分に対して用いた符号と同一の符号を用いることとし、重複する説明を省略する。
【０１９５】
第４の実施の形態では、少なくとも一部のスラット材５０について、当該スラット材５０の長手方向である第２方向ｄ２に直交する断面上での当該スラット材５０の両端部５３，５４間の距離（当該スラット材の幅）ｈに対するスラット材５０の第１方向ｄ１への配置ピッチｄの比の値α（α＝ｄ／ｈ）が、０．７５以下となっている。比の値αを０．７５以下とすることで、優れた防眩性能と優れた採光効率の両方を確保することができる。
【０１９６】
なお、隣り合う二つのスラット材５０の間で、第２方向ｄ２に直交する断面上での対象となる二つのスラット材５０の両端部５３，５４間の距離ｈが互いに異なることもあり得る。この場合、当該隣り合う比の値αの算出には、二つのスラット材５０のｈ値のうちのより小さい値を採用することとする。このような比の値の算出方法は、第４の実施の形態だけでなく、他の実施の形態においても同様とする。
【０１９７】
また、図５を参照して説明したように光制御具４０がブラインド４４として構成されている場合、比の値αは、０．５よりも大きくなっていることが好ましい。ブラインド４４として構成された光制御具４０の支持具４１は、第１方向ｄ１と非平行な軸線を中心としてスラット材５０を回転可能に支持する。図６に示すように、典型的には、各スラット材５０は、その長手方向である第２方向ｄ２と平行な軸線を中心として回転する。そして、比の値αが０．５より大きく設定されている場合、スラット材５０を最も立ち上げた状態で、言い換えると、スラット材５０の板面がスラット材５０の配列方向である第１方向ｄ１に最も沿うようにした状態で、第１方向ｄ１のいずれかの位置において、三つのスラット材５０が重なることを回避することができる。すなわち、ブラインド４４で遮光を行いたい場合に、スラット材５０の板面が第１方向ｄ１に対してなす角度を小さくすることができる。これにより、第１方向ｄ１に対して直交する方向からの光だけでなく、斜め方向からの光をも効果的に遮光することが可能となる。
【０１９８】
次に、以上の構成からなる採光システム５及び光制御具４０の作用について説明する。
【０１９９】
既に第１の実施の形態において説明したように、採光シート２０は、第１空間ＳＡの側から入射してくる光を、その進行方向を跳ね上げるように変化させて、透過させる。図１８及び１９に示すように、採光時、採光シート２０の出光側に位置するスラット材５０は、その板面が入光側となる第１端部５３の側よりも出光側となる第２端部５４の側で上方に位置するように傾斜した姿勢で、支持具４１によって保持されている。したがって、跳ね上げ光Ｌ１８１，Ｌ１８２，Ｌ１８３，Ｌ１９１，Ｌ１９２，Ｌ１９３は、光制御具４０のスラット材５０の間を通過することが可能となる。跳ね上げ光Ｌ１８１〜Ｌ１８３，Ｌ１９１〜Ｌ１９３は、透光部材１０が設置された位置から離間した室内の奥側の領域まで到達することができる。
【０２００】
また、図１に示すように、採光シート２０での光路変更機能によって、光路を十分に跳ね上げられない光Ｌ１２も発生し得る。既に説明したように、このような光Ｌ１２は、眩しさの原因となる。光制御具４０は、これらの光Ｌ１２を遮光し、防眩機能を発揮することも期待されている。すなわち、光制御具４０は、不所望な光Ｌ１２に対して防眩機能を発揮しながら、跳ね上げ光Ｌ１８１〜Ｌ１８３，Ｌ１９１〜Ｌ１９３の第２空間ＳＢへの進行を許容し、これにより、太陽光を第２空間ＳＢに有効に取り組むことを期待されている。
【０２０１】
ところが、市販されているブラインドを市販されている採光シートと組み合わせて用いた場合、防眩機能と採光機能とを両立できなかった。この点について調査を行ったところ、まず、防眩機能については、図１８及び図１９に示すように、スラット材５０の配列方向である第１方向ｄ１に隣り合う二つのスラット材５０のうちの、第１方向ｄ１における第１の側ｓ１に位置するスラット材５０の第２の側ｓ２となる第２端部５４と、第１方向ｄ１における第２の側ｓ２に位置するスラット材５０の第１の側ｓ１となる第１端部５３が、採光シート２０の法線方向ｎｄに重なる場合、及び、この状態からさらにスラット材５０が立ち上がって隣り合う二つのスラット材５０が第１方向ｄ１において重複して配置される領域を増やした場合に、優れた防眩機能が発揮されることが知見された。出光側となる第２端部５４が入光側となる第１端部５３よりも第１方向ｄ１における第２の側ｓ２に位置する姿勢にてスラット材５０が支持される採光時に、第１方向ｄ１に隣り合う二つのスラット材５０が、第１方向ｄ１において重なり合うようにして配置されることで、採光シート２０の法線方向に進む光、並びに、採光シート２０の法線方向から第１方向ｄ１における第１の側ｓ１に傾斜した方向に進む光の直進を、スラット材５０で遮蔽することができる。
【０２０２】
その一方で、人が眩しく感じる原因となる主たる光は、採光シート２０によって十分に光路を調整されず、採光シート２０の法線方向ｎｄよりも下方に傾斜した方向に進む光である。このような光は、強度が強く且つ比較的光量も多い。このような光を遮蔽することで、優れた防眩性が確保され得る。
【０２０３】
なお、第１方向ｄ１に隣り合う二つのスラット材５０が、第１方向ｄ１において重なり合うようにするには、つまり、優れた防眩機能を確保するには、スラット材５０を立ち上げる、言い換えると、スラット材５０の板面が第１方向ｄ１に対してなす角度を小さくすることが有効である。しかしながら、図１８及び図１９に二点鎖線で示されたスラット材５０Ｘは、採光シート２０で有効に光路変更機能を及ぼされた跳ね上げ光Ｌ１８１〜Ｌ１８３，Ｌ１９１〜Ｌ１９３まで遮蔽してしまう。すなわち、図１８及び図１９に二点鎖線で示されたスラット材５０Ｘは、防眩機能及び採光機能の両立を図ることができない。
【０２０４】
この点について、第４の実施の形態では、少なくとも一部のスラット材５０について、当該スラット材５０の長手方向である第２方向ｄ２に直交する断面上での当該スラット材５０の両端部５３，５４間の距離ｈに対するスラット材５０の第１方向ｄ１への配置ピッチｄの比の値α（α＝ｄ／ｈ）を、０．７５以下としている。このようなスラット材５０は、採光シート２０との組み合わせにおいて跳ね上げ光の通過に適切な傾斜角に保持された状態で、つまり第１方向ｄ１に対して比較的大きな傾斜角度をなすように保持された状態で、隣り合う他のスラット材５０で第１方向ｄ１において重なり合うことできる。これにより、防眩機能および採光機能の両立を可能としている。
【０２０５】
なお、比の値αは、スラット材５０の両端部５３，５４間の距離ｈと、スラット材５０の第１方向ｄ１への配置ピッチｄに依存する。図１８に示された例において、二点鎖線で示されたスラット材５０Ｘは、実線で示されたスラット材５０と同一の幅ｈを有する一方で、実線で示されたスラット材５０とは異なるピッチｄで配置されている。図１９に示された例において、二点鎖線で示されたスラット材５０Ｘは、実線で示されたスラット材５０と同一ピッチで配列される一方で、実線で示されたスラット材５０とは異なる幅ｈを有している。図１８及び図１９に実線で示されたスラット材５０の比の値αは略０．６４となっており、図１８及び図１９に二点鎖線で示されたスラット材５０の比の値αは略０．８２となっている。
【０２０６】
このようなスラット材５０は、当該光制御具４０を採光シート２０と組み合わせ用いた場合に生じる眩しさに対処しながら、併せて採光を確保するものである。したがって、比の値αを０．７５以下に調節されるスラット材５０は、採光シート２０に正対して位置していることが有効である。更に、人は、鉛直方向における上側に位置するスラット材５０から誘導される光を眩しく感じる傾向がある。したがって、比の値αを０．７５以下に調節されるスラット材５０は、第１方向ｄ１における第２の側ｓ２に位置するスラット材５０であることが有効である。
【０２０７】
なお、採光シート２０が設けられていない領域、例えば図１に示された例では開口ＯＰの上方領域ｕａを除く下方領域ｌａには、光制御具４０のみが設けられている。この領域ｌａに位置するスラット材５０は遮光装置として機能し得る。とりわけ、ブラインド４４によって光制御具４０が形成されている場合には、ブラインド４４に本来的に期待された種々の機能、例えば、遮光機能、遮熱機能、のぞき見防止機能等が、発揮され得る。したがって、採光シート２０に正対しない領域に配置されたスラット材５０は、一般的なブラインドに組み込まれたスラット材と同様に、比の値αは、０．８０以上０．９０以下としてもよい。
【０２０８】
以上に説明したように、第４の実施の形態において、採光システム５の光制御具４０は、入射光の進行方向を第１方向ｄ１における第１の側ｓ１から第２の側ｓ２へ変えて透過させる採光シート２０に対面して配置される。光制御具４０は、第１方向ｄ１に配列された複数のスラット材５０を有している。各スラット材５０は、第１方向ｄ１と非平行な第２方向ｄ２に延びている。そして、少なくとも一部のスラット材について、第２方向ｄ２に直交する面上での当該スラット材５０の両端部５３，５４間の距離（当該スラット材の幅）ｈに対するスラット材５０の第１方向ｄ１への配置ピッチｄの比の値α（α＝ｄ／ｈ）は、０．７５以下となっている。
【０２０９】
採光シート２０での光路変更機能により、採光シート２０を透過した光の一部Ｌ１８１〜Ｌ１８３，Ｌ１９１〜Ｌ１９３が進行方向を跳ね上げられる。この跳ね上げ光Ｌ１８１〜Ｌ１８３，Ｌ１９１〜Ｌ１９３は、第２空間（例えば屋内）ＳＢの奥の領域まで到達することができる。これにより、外光を第２空間ＳＢに有効に取り組むことが可能となる。その一方で、採光シート２０を透過する光には、進行方向を十分に跳ね上げられることなく、採光シート２０の法線方向ｎｄよりも下方に傾斜した方向に進む光Ｌ１２、典型的には水平方向に対して下方に傾斜した方向に進む光Ｌ１２も含まれる。このような光Ｌ１２は、仮に光制御具４０を透過した場合、第２空間ＳＢ内に居る人に非常に感知されやすく、当該人が眩しさを感じる原因となり得る。この問題に対処するには、このような眩しさの原因となる光を光制御具４０のスラット材５０で遮蔽することが考えられる。しかしながら、採光シート２０の法線方向ｎｄに対して大きく傾斜しない方向に進む光の光路をスラット材５０で遮蔽しようとすると、スラット材５０を採光シートの法線方向に対して大きく傾斜させる必要がある。その一方で、このように大きく傾斜して立ち上がったスラット材５０は、採光に有効に利用され得る跳ね上げ光Ｌ１８１〜Ｌ１８３，Ｌ１９１〜Ｌ１９３の光路も塞いでしまう。すなわち、跳ね上げ光Ｌ１８１〜Ｌ１８３，Ｌ１９１〜Ｌ１９３は、スラット材５０の間を通過することができず、スラット材５０で反射又は吸収されることになるといった不具合が生じていた。
【０２１０】
この点について、本実施の形態では、少なくとも一部のスラット材５０について、第２方向ｄ２に直交する面上での当該スラット材５０の両端部５３，５４間の距離（当該スラット材の幅）ｈに対するスラット材５０の第１方向ｄ１への配置ピッチｄの比の値α（α＝ｄ／ｈ）は、０．７５以下に調整されている。このようなスラット材５０は、従来のスラット材５０と比較して、短ピッチで配置される又は長い幅を有する。そして、このスラット材５０によれば、当該スラット材５０を必要以上に立ち上がった姿勢に維持することなく、採光シート２０の法線方向ｎｄに対して第１方向ｄ１における第１の側ｓ１に傾斜した方向に進む光の光路を塞ぐことができる。つまり、採光シート２０を透過する光に含まれる眩しさの原因となっていた光をスラット材５０で遮蔽しながら、採光に有効に用いられる跳ね上げ光Ｌ１８１〜Ｌ１８３，Ｌ１９１〜Ｌ１９３がスラット材５０の間を通過することを可能にする。この結果、第２空間ＳＢに居る人が感知する眩しさを効果的に低減しながら採光を行うことができる。
【０２１１】
なお、上述してきた第４の実施の形態に対して様々な変更を加えることが可能である。例えば、第１〜第３の実施の形態と同様に、採光シート２０の構成を適宜変更してもよいし、採光システム５が適用される構造体２、開口ＯＰ、透光部材の構成を適宜変更してもよいし、支持具４１の構成を適宜変更してもよい。また、第１〜第３の実施の形態と同様に、透光部材、採光シート２０及び光制御具４０が、組立キット４を構成して、この組立キット４の単位で取り扱われるようにしてもよい。
【０２１２】
また、第１の実施の形態で説明した光拡散反射性を、第４の実施の形態のスラット材５０の第１面５１が有するようにしてもよい。また、第２の実施の形態で説明した光拡散透過性を、第４の実施の形態のスラット材５０が有するようにしてもよい。さらに、第３の実施の形態で説明した反射率の関係を、第４の実施の形態に適用するようにしてもよい。
【０２１３】
＜第５の実施の形態＞
次に、図２０〜図２３を参照して、第５の実施の形態について説明する。第５の実施の形態は、スラット材５０の幅ｈに対するスラット材５０の配列ピッチｄの比の値α（α＝ｄ／ｈ）が、光制御具４０に含まれる複数のスラット材５０の間で、一定ではないことを特徴としており、その他において他のいずれかの実施の形態と同一に構成され得る。例えば、採光システム５が適用される構造体２、開口ＯＰ、透光部材、採光システム５の採光シート２０、光制御具４０の支持具４１については、その変形例も含めて上述の第１の実施の形態と同一に構成され得る。以下の説明および以下の説明で用いる図面では、他の実施の形態と同様に構成され得る部分について、他の実施の形態における対応する部分に対して用いた符号と同一の符号を用いることとし、重複する説明を省略する。
【０２１４】
第５の実施の形態では、或る隣り合う二つのスラット材５０に関する第２方向ｄ２に直交する面での当該スラット材５０の両端部５３，５４間の距離（当該スラット材の幅）ｈに対するスラット材５０の第１方向ｄ１への配置ピッチｄの比の値α（α＝ｄ／ｈ）は、或る隣り合う二つのスラット材５０とは別の他の隣り合う二つのスラット材５０に関する比の値α（α＝ｄ／ｈ）と異なっている。とりわけ、第１方向ｄ１に連続して配列された少なくとも一部のスラット材５０のうちの、或る隣り合う二つのスラット材５０に関する比の値α（α＝ｄ／ｈ）が、或る隣り合う二つのスラット材５０とは別の他の隣り合う二つのスラット材５０に関する比の値α（α＝ｄ／ｈ）と異なっている。
【０２１５】
なお、比の値αは、スラット材５０の両端部５３，５４間の距離ｈと、スラット材５０の第１方向ｄ１への配置ピッチｄに依存する。比の値の変化は、或る隣り合う二つのスラット材５０と他の隣り合う二つのスラット材５０との間で、図２０及び図２１に示す例のように、ｈの値を一定として、ｄの値を変化させることによって実現されてもよい。また、比の値の変化は、或る隣り合う二つのスラット材５０と他の隣り合う二つのスラット材５０との間で、図２２及び図２３に示す例のように、ｄの値を一定として、ｈの値を変化させることによって実現されてもよい。さらに、比の値の変化は、或る隣り合う二つのスラット材５０と他の隣り合う二つのスラット材５０との間で、ｄの値およびｈの値の両方を変化させることによって実現されてもよい。
【０２１６】
また、第１方向ｄ１に連続して配列された少なくとも一部のスラット材５０のうちの、任意に選択される隣り合う二つのスラット材５０に関する比の値α（α＝ｄ／ｈ）は、少なくとも一部のスラット材５０のうちの、当該隣り合う二つのスラット材５０よりも第１方向ｄ１における第１の側（下側）ｓ１に位置する他の隣り合う二つのスラット材５０に関する比の値α（ｄ／ｈ）以下となっていることが好ましい。つまり、第１方向ｄ１に連続して配列された少なくとも一部のスラット材５０に関して、比の値αが、第１方向ｄ１における第２の側ｓ２から第１の側ｓ１に向けてしだいに大きくなっていくことが好ましい。
【０２１７】
例えば図２０及び図２１に示す例のように、第１方向ｄ１に連続して配列された少なくとも一部のスラット材５０のうちの、任意に選択される隣り合う二つのスラット材５０に関する配置ピッチｄを、少なくとも一部のスラット材５０のうちの、当該隣り合う二つのスラット材５０よりも第１方向ｄ１における第１の側（下側）ｓ１に位置する他の隣り合う二つのスラット材５０に関する配置ピッチｄ以下としてもよい。また、図２２及び図２３に示すように、第１方向ｄ１に連続して配列された少なくとも一部のスラット材５０のうちの、任意に選択される一つのスラット材５０の両端部５３，５４間の距離ｈを、少なくとも一部のスラット材５０のうちの、当該一つのスラット材５０よりも第１方向ｄ１における第１の側（下側）ｓ１に位置する他の一つのスラット材５０に関する両端部５３，５４間の距離ｈ以上としてもよい。
【０２１８】
ここで、第１方向ｄ１に連続して配列された少なくとも一部のスラット材５０とは、一例として、採光シート２０に正対する領域に位置する複数のスラット材５０とすることができる。この例において、一部のスラット材以外のスラット材５０は、採光シート２０に対面しておらず、遮光装置として機能し得る。したがって、比の値αは、採光効率を考慮して決定されるよりも、その遮光機能を考慮して決定されるようにしてもよい。とりわけ、ブラインド４４によって光制御具４０が形成されている場合には、ブラインド４４に本来的に期待された種々の機能、例えば、遮光機能、遮熱機能、のぞき見防止機能等を考慮して比の値αを決定することが好ましく、比の値αは、０．８０以上０．９０以下とすることができる。
【０２１９】
図２０〜図２３に示す例において、光制御具４０は、三つの領域、すなわち第１領域ｚ１、第２領域ｚ２、第３領域ｚ３に区分けされている。第１領域ｚ１、第２領域ｚ２、第３領域ｚ３は、この順番にて、第１方向ｄ１に沿って第２の側ｓ２から第１の側ｓ１に向けて配置されている。各領域ｚ１，ｚ２，ｚ３は、複数のスラット材５０を含んでいる。各領域ｚ１，ｚ２，ｚ３内に含まれるスラット材５０は、互いに同一の構成を有している。すなわち、各領域ｚ１，ｚ２，ｚ３内において、第２方向ｄ２に直交する面でのスラット材５０の両端部５３，５４間の距離ｈは一定であり、且つ、スラット材５０の配列ピッチｄも一定である。この結果、各領域ｚ１，ｚ２，ｚ３内において、距離ｈに対する配列ピッチｄの比の値αも一定となる。
【０２２０】
図２０及び図２１に示された例について、更に詳細に説明する。図２１は、図２０の各領域ｚ１，ｚ２，ｚ３内に含まれる二つのスラット材５０を示している。図２０及び図２１に示された例において、第１領域ｚ１内に含まれるスラット材５０の幅ｈ１は、第２領域ｚ２内に含まれるスラット材５０の幅ｈ２と同一となっており、第３領域ｚ３内に含まれるスラット材５０の幅ｈ３とも同一となっている。一方、第１領域ｚ１内に含まれるスラット材５０の第１方向ｄ１への配置ピッチｄ１は、第２領域ｚ２内に含まれるスラット材５０の第１方向ｄ１への配置ピッチｄ２よりも小さく、また、第２領域ｚ２内に含まれるスラット材５０の第１方向ｄ１への配置ピッチｄ２は、第３領域ｚ３内に含まれるスラット材５０の第１方向ｄ１への配置ピッチｄ３よりも小さい。結果として、第１領域ｚ１内に含まれるスラット材５０に関する比の値α（α＝ｄ１／ｈ１）は、第２領域ｚ２内に含まれるスラット材５０に関する比の値α（α＝ｄ２／ｈ２）よりも小さく、また、第２領域ｚ２内に含まれるスラット材５０に関する比の値α（α＝ｄ２／ｈ２）は、第３領域ｚ３内に含まれるスラット材５０に関する比の値α（α＝ｄ３／ｈ３）よりも小さい。
【０２２１】
次に、図２２及び図２３に示された例について、更に詳細に説明する。図２２は、図２３の各領域ｚ１，ｚ２，ｚ３内に含まれる二つのスラット材５０を示している。図２２及び図２３に示された例において、第１領域ｚ１内に含まれるスラット材５０の第１方向ｄ１への配置ピッチｄ１は、第２領域ｚ２内に含まれるスラット材５０の第１方向ｄ１への配置ピッチｄ２と同一であり、第３領域ｚ３内に含まれるスラット材５０の第１方向ｄ１への配置ピッチｄ３とも同一である。一方、第１領域ｚ１内に含まれるスラット材５０の幅ｈ１は、第２領域ｚ２内に含まれるスラット材５０の幅ｈ２よりも大きく、また、第２領域ｚ２内に含まれるスラット材５０の幅ｈ２は、第３領域ｚ３内に含まれるスラット材５０の幅ｈ３よりも大きい。結果として、第１領域ｚ１内に含まれるスラット材５０に関する比の値α（α＝ｄ１／ｈ１）は、第２領域ｚ２内に含まれるスラット材５０に関する比の値α（α＝ｄ２／ｈ２）よりも小さく、また、第２領域ｚ２内に含まれるスラット材５０に関する比の値α（α＝ｄ２／ｈ２）は、第３領域ｚ３内に含まれるスラット材５０に関する比の値α（α＝ｄ３／ｈ３）よりも小さい。
【０２２２】
なお、図２０及び図２１に示された採光システム５の光制御具４０に含まれる複数のスラット材５０は同じ向きに保持されている。すなわち、スラット材５０の板面が、第１方向ｄ１及び第２方向ｄ２の両方向に直交する方向に対してなす角度は、図２０及び図２１に示された採光システム５の光制御具４０に含まれる複数のスラット材５０の間で同一となっている。同様に、図２２及び図２３に示された採光システム５の光制御具４０に含まれる複数のスラット材５０は同じ向きに保持されている。
【０２２３】
次に、以上の構成からなる採光システム５及び光制御具４０の作用について説明する。
【０２２４】
既に第１の実施の形態において説明したように、採光シート２０は、第１空間ＳＡの側から入射してくる光を、その進行方向を跳ね上げるように変化させて、透過させる。図２０〜図２３に示すように、採光時、採光シート２０の出光側に位置するスラット材５０は、その板面が入光側となる第１端部５３の側よりも出光側となる第２端部５４の側で上方に位置するように傾斜した姿勢で、支持具４１によって保持されている。したがって、跳ね上げ光Ｌ２０１，Ｌ２１１，Ｌ２１３，Ｌ２１５，Ｌ２２１，Ｌ２３１，Ｌ２３３，Ｌ２３５は、光制御具４０のスラット材５０の間を通過することが可能となる。跳ね上げ光は、透光部材１０が設置された位置から離間した室内の奥側の領域まで到達することができる。
【０２２５】
また、図２０及び図２２に示すように、採光シート２０での光路変更機能によって、光路を十分に跳ね上げられない光Ｌ２０２，Ｌ２２２も発生し得る。既に説明したように、このような光Ｌ２０２，Ｌ２２２は、眩しさの原因となる。光制御具４０は、これらの光Ｌ２０２，Ｌ２２２を遮光し、防眩機能を発揮することも期待されている。すなわち、光制御具４０は、不所望な光Ｌ２０２，Ｌ２２２に対して防眩機能を発揮しながら、跳ね上げ光Ｌ２０１，Ｌ２１１，Ｌ２１３，Ｌ２１５，Ｌ２２１，Ｌ２３１，Ｌ２３３，Ｌ２３５の第２空間ＳＢへの進行を許容し、これにより、太陽光を第２空間ＳＢに有効に取り組むことを期待されている。
【０２２６】
ただし、市販されているブラインドを市販されている採光シートと組み合わせて用いた場合、防眩機能と採光機能とを両立できなかった。この理由は、第４の実施の形態において既に説明したように、防眩機能を向上させるにはスラットを立ち上げることが有効である一方、立ち上げられたスラットによって跳ね上げ光の光路が遮られてしまうことにある。第４の実施の形態においては、比の値αを調節することで、防眩機能および採光機能の両立を図った。
【０２２７】
そして、更に鋭意検討を重ねた結果として、スラット材５０の配列方向である第１方向ｄ１における各位置または各領域において、透過すべき光および遮光すべき光が異なることを知見した。すなわち、開口ＯＰを観察する方向に依存して、スラット材５０の配列方向である第１方向ｄ１に沿った一方の側に近接する領域と、第１方向ｄ１における他方の側に近接する領域とで、透過すべき光および遮光すべき光が異なることが知見された。
【０２２８】
典型的には、図２０及び図２２に示すように、鉛直方向における上側となる領域、図示された例では第１領域ｚ１は、第２空間ＳＢに居る人の顔に正対しやすく、併せて、第２空間ＳＢに居る人の顔と第１空間ＳＡに位置する太陽とを結ぶ線分上に位置しやすい傾向にある。このため、当該領域から漏れ出す光は、僅かであっても、眩しく感じられる傾向が強い。図２０〜図２３に示された例では、採光シート２０で跳ね上げられなかった光Ｌ２０２，Ｌ２１２，Ｌ２２２，Ｌ２３２は眩しさの原因となりやすい。したがって、この領域に対面するスラット材５０は、水平方向に対して大きく傾斜しない方向に進む光、とりわけ水平方向に対して下方に傾斜して進む光を遮蔽することが好ましい。
【０２２９】
その一方で、図２０及び図２２に示すように、鉛直方向において第１領域ｚ１からしだいに離間するにつれて、漏れ光が眩しさに与える影響は小さくなる。図２０〜図２３に示された例では、採光シート２０で跳ね上げられなかった光Ｌ２０３，Ｌ２１４，Ｌ２１６，Ｌ２２３，Ｌ２３４，Ｌ２３６は眩しさの原因とはなりにくい。したがって、のぞき見防止等の防眩以外での必要性がなければ、採光を重視して、スラット材５０の間に隙間が形成されるようにしてもよい。
【０２３０】
このような知見に基づき、第５の実施の形態では、或る隣り合う二つのスラット材５０に関する第２方向ｄ２に直交する面での当該スラット材５０の両端部５３，５４間の距離（当該スラット材の幅）ｈに対するスラット材５０の第１方向ｄ１への配置ピッチｄの比の値α（α＝ｄ／ｈ）は、或る隣り合う二つのスラット材５０とは異なる他の隣り合う二つのスラット材５０に関する比の値α（α＝ｄ／ｈ）と、異なっている。ここで、跳ね上げ光Ｌ２０１，Ｌ２１１，Ｌ２１３，Ｌ２１５，Ｌ２２１，Ｌ２３１，Ｌ２３３，Ｌ２３５がスラット材５０間を通過し得るように、スラット材５０が一定の向きに調節されているとすると仮定する。この仮定において、優れた防眩機能を確保するためには、スラット材５０の幅ｈを広げること及びスラット材５０の配列ピッチを短くすることが有効となる。このような調節により、跳ね上げ光Ｌ２０１，Ｌ２１１，Ｌ２１３，Ｌ２１５，Ｌ２２１，Ｌ２３１，Ｌ２３３，Ｌ２３５の光路とは異なる方向に進む光が、スラット材５０によってその光路を遮られやすくなる。一方、採光量を増大させるためには、スラット材５０の幅ｈを狭めること及びスラット材５０の配列ピッチを長くすることが有効となる。このような調整により、跳ね上げ光Ｌ２０１，Ｌ２１１，Ｌ２１３，Ｌ２１５，Ｌ２２１，Ｌ２３１，Ｌ２３３，Ｌ２３５の光路とは異なる方向に進む光も、スラット材５０間を通過しやすくなる。すなわち、採光システム５の設置状況に応じて第１方向ｄ１に沿った各位置での採光機能および防眩機能を調節することができる。これにより、採光システム５全体として採光機能および防眩機能の両方を改善することができる。
【０２３１】
また、第１方向ｄ１に連続して配列された少なくとも一部のスラット材５０のうちの、任意に選択される隣り合う二つのスラット材５０に関する比の値α（α＝ｄ／ｈ）は、少なくとも一部のスラット材のうちの、当該隣り合う二つのスラット材５０よりも第１方向ｄ１における第１の側ｓ１に位置する他の隣り合う二つのスラット材５０に関する比の値α（α＝ｄ／ｈ）以下とすることが好ましい。このような光制御具４０によれば、比の値α（α＝ｄ／ｈ）が第１方向ｄ１における第１の側ｓ１から第２の側ｓ２へ向けてしだいに小さくなっていく。
【０２３２】
なお、この変化は、図２０〜図２３に示された例のように段階的であってもよいし、図２０〜図２３に示された例とは異なり連続的であってもよいし、段階的と連続的の組み合わせであってもよい。また、段階的に変化する場合には、比の値αの変化は、二段階で変化するようにしてもよいし、三段階以上で変化するようにしてもよい。この構成によれば、第１方向ｄ１に沿った各領域においてスラット材５０の傾斜角を一定又は概ね一定に保ちながら、採光シート２０の法線方向ｎｄに対して大きく傾斜しない方向に進む光の取り込み効率を、第１方向ｄ１における第１の側ｓ１から第２の側ｓ２へ向けてしだいに低下させることできる。したがって、光制御具４０の第１方向ｄ１における第２の側ｓ２となる領域に人の顔が正対する場合に、当該人が感じる眩しさを効果的に低減しながら、全体としての採光効率を効果的に改善することができる。
【０２３３】
具体的な適用として、図２０及び図２２に示す例のように、スラット材５０が鉛直方向に配列される場合には、上側に位置するスラット材５０の比の値αを小さくし、下側に向かうにつれて比の値αを大きくしていくことが好ましい。このような適用によれば、眩しさを効果的に抑制しながら、採光を効率的に行うことができる。図２１において、光Ｌ２１２，Ｌ２１４，Ｌ２１６は、同一方向に進む光であり、図２３において、光Ｌ２３２，Ｌ２３４，Ｌ２３６は、同一方向に進む光である。このうち、漏れ光が眩しさに強い影響を与え得る第１領域ｚ１から射出する光Ｌ２１２，Ｌ２３２は、スラット材５０によって光路を遮蔽されている。その一方で、漏れ光が眩しさに影響を与えにくい第２領域ｚ２及び第３領域ｚ３から射出する光Ｌ２１４，Ｌ２１６，Ｌ２３４，Ｌ２３６は、跳ね上げ光Ｌ２１１，Ｌ２１３，Ｌ２１５，Ｌ２３１，Ｌ２３３，Ｌ２３５とともに、スラット材５０に間を通過することが許容されている。
【０２３４】
さらに、図２０及び図２１に示された例において、或る隣り合う二つのスラット材５０についての配置ピッチｄを、他の隣り合う二つのスラット材についての配置ピッチｄとは異なるようにしている。この採光システム５のように、配置ピッチｄによって比の値α（α＝ｄ／ｈ）を変化させることによれば、スラット材５０の両端部５３，５４間の距離（当該スラット材の幅）ｈを一定に保ちながら、或いは、スラット材５０の両端部５３，５４間の距離（当該スラット材の幅）ｈを大きく変化させることなく、比の値α（α＝ｄ／ｈ）を変化させることが可能となる。このような構成によれば光制御具４０の大型化を防止しながら、眩しさの低減および採光効率の改善を図ることができる。
【０２３５】
また、図５を参照して説明したように光制御具４０がブラインド４４として構成されている場合、採光システム５の光制御具４０に含まれるスラット材５０の比の値αは、０．５よりも大きく０．８５以下であることが好ましい。比の値αを０．５よりも大きくすることが好ましい理由は、第４の実施の形態で既に説明した理由と同一である。一方、比の値αが０．８５よりも大きくなると、スラット材５０の幅ｈに対してスラット材５０の配列ピッチｄが大きくなり過ぎる。この結果、採光システム５の設置状況によっては、防眩機能およびのぞき見防止機能が不十分となる可能性がある。
【０２３６】
採光システム５の光制御具４０に含まれるスラット材５０の一部について、比の値α（α＝ｄ／ｈ）を０．７５以下とすることが好ましい。既に第４の実施の形態で説明したように、比の値α（α＝ｄ／ｈ）を０．７５とすることで高い採光効率とともに優れた防眩性能の両立を実現することができる。図２０〜図２３に示された例では、第１領域ｚ１に位置するスラット材５０の比の値αを０．７５とすることで、第２空間ＳＢに居る人が眩しさを感じることを効果的に防止することができるとともに、第１領域ｚ１から有効に採光することが可能となる。
【０２３７】
以上に説明したように、第５の実施の形態において、採光システム５の光制御具４０は、入射光の進行方向を第１方向ｄ１における第１の側ｓ１から第２の側ｓ２へ変えて透過させる採光シート２０に対面して配置される。光制御具４０は、第１方向ｄ１に配列された複数のスラット材５０を有している。各スラット材５０は、第１方向ｄ１と非平行な第２方向ｄ２に延びている。そして、或る隣り合う二つのスラット材５０に関する第２方向ｄ２に直交する面での当該スラット材５０の両端部５３，５４間の距離（当該スラット材の幅）ｈに対するスラット材５０の第１方向ｄ１への配置ピッチｄの比の値α（α＝ｄ／ｈ）は、或る隣り合う二つのスラット材５０とは別の他の隣り合う二つのスラット材５０に関する比の値α（α＝ｄ／ｈ）と異なっている。
【０２３８】
採光シート２０での光路変更機能により、採光シート２０を透過した光の一部Ｌ２０１，Ｌ２１１，Ｌ２１３，Ｌ２１５，Ｌ２２１，Ｌ２３１，Ｌ２３３，Ｌ２３５が進行方向を跳ね上げられる。この跳ね上げ光Ｌ２０１，Ｌ２１１，Ｌ２１３，Ｌ２１５，Ｌ２２１，Ｌ２３１，Ｌ２３３，Ｌ２３５は、第２空間（例えば屋内）ＳＢの奥の領域まで到達することができる。これにより、外光を第２空間ＳＢに有効に取り組むことが可能となる。その一方で、採光シート２０を透過する光には、進行方向を十分に跳ね上げられることなく、採光シートの法線方向、典型的には水平方向に対して大きく傾斜しない方向に進む光Ｌ２０２，Ｌ２０３，Ｌ２１２，Ｌ２１４，Ｌ２１６，Ｌ２２２，Ｌ２２３，Ｌ２３２，Ｌ２３４，Ｌ２３６も含まれる。従来の光制御具４０を用いて、しかも跳ね上げ光Ｌ２０１，Ｌ２１１，Ｌ２１３，Ｌ２１５，Ｌ２２１，Ｌ２３１，Ｌ２３３，Ｌ２３５がスラット材５０の間を通過することができるようにスラット材５０の傾斜角が調節されている多くの場合、このような光Ｌ２０２，Ｌ２０３，Ｌ２１２，Ｌ２１４，Ｌ２１６，Ｌ２２２，Ｌ２２３，Ｌ２３２，Ｌ２３４，Ｌ２３６は、跳ね上げ光と同様に、スラット材５０の間を通過することが可能となる。そして、このような光は、正対する方向から観察されることで、非常に眩しく感知されることになる。ただし、正対する方向から観察しなければ、採光に有効に利用され得る光となる。つまり、採光シート２０の法線方向ｎｄに対して大きく傾斜しない方向に進む光は、光制御具４０の或る領域において遮蔽されることが好ましく、光制御具４０の他の領域において透過されることが好ましい。
【０２３９】
これに対して本実施の形態では、或る隣り合う二つのスラット材５０に関する第２方向ｄ２に直交する面での当該スラット材５０の両端部５３，５４間の距離（当該スラット材の幅）ｈに対するスラット材５０の第１方向ｄ１への配置ピッチｄの比の値α（α＝ｄ／ｈ）は、或る隣り合う二つのスラット材５０とは別の隣り合う二つのスラット材５０に関する比の値α（α＝ｄ／ｈ）と異なるようになっている。したがって、比の値α（α＝ｄ／ｈ）を操作することで、スラット材５０の傾斜角を第１方向ｄ１に沿った各領域ｚ１，ｚ２，ｚ３において一定または概ね一定に保ちながら、採光シート２０の法線方向ｎｄに対して大きく傾斜しない方向に進む光をどの程度遮蔽するかを調節することができる。具体的には、比の値α（α＝ｄ／ｈ）を小さくすることで、スラット材５０の傾斜角を一定又は概ね一定に保ちながら、採光シート２０の法線方向ｎｄに対して大きく傾斜しない方向に進む光を通しにくくすることができ、比の値α（α＝ｄ／ｈ）を大きくすることで、スラット材５０の傾斜角を一定又は概ね一定に保ちながら、採光シート２０の法線方向ｎｄに対して大きく傾斜しない方向に進む光を通しやすくすることができる。
【０２４０】
なお、スラット材５０の傾斜角を第１方向ｄ１に沿った各領域ｚ１，ｚ２，ｚ３において一定又は概ね一定に保つことで、第１方向ｄ１に沿った各領域ｚ１，ｚ２，ｚ３において跳ね上げ光の光量、すなわち採光に最も適した光の光量を概ね一定とすることができる。したがって、光制御具４０に含まれる複数のスラット材５０の中で、比の値α（α＝ｄ／ｈ）を調節することで、第１方向ｄ１に沿った各領域ｚ１，ｚ２，ｚ３において、採光シート２０の法線方向ｎｄに対して大きく傾斜しない方向に進む光の第２空間ＳＢへの取り込み量を調節することができる。この結果、第２空間ＳＢに居る人が感知する眩しさを効果的に低減しながら効率的に採光を行うことができる。
【０２４１】
上述してきた第５の実施の形態に対して様々な変更を加えることが可能である。例えば、第１〜第４の実施の形態と同様に、採光シート２０の構成を適宜変更してもよいし、採光システム５が適用される構造体２、開口ＯＰ、透光部材の構成を適宜変更してもよいし、支持具４１の構成を適宜変更してもよい。また、第１〜第４の実施の形態と同様に、透光部材、採光シート２０及び光制御具４０が、組立キット４を構成して、この組立キット４の単位で取り扱われるようにしてもよい。なお、光制御具４０がブラインドとして構成される場合、第１領域ｚ１に属するスラット材５０の向きと、第２領域ｚ２に属するスラット材５０の向きと、第３領域ｚ３に属するスラット材５０の向きが、互いから独立して調節可能であってもよい。その一方で、一つの領域に属する複数のスラット材５０の向きは互いに平行に維持されるようにしてもよい。
【０２４２】
また、第１の実施の形態で説明した光拡散反射性を、第５の実施の形態のスラット材５０の第１面５１が有するようにしてもよい。さらに、第２の実施の形態で説明した光拡散透過性を、第５の実施の形態のスラット材５０が有するようにしてもよい。さらに、第３の実施の形態で説明した反射率の関係を、第５の実施の形態に適用するようにしてもよい。さらに、第４の実施の形態で説明した比の値αを０．７５以下とする構成を、第５の実施の形態に適用するようにしてもよい。
【０２４３】
＜第６の実施の形態＞
次に、図２４及び図２５を参照して、第６の実施の形態について説明する。第６の実施の形態は、第１方向ｄ１に連続して配列された少なくとも一部のスラット材５０のうちの或る一つのスラット材５０の傾斜角θｘは、少なくとも一部のスラット材５０のうちの他の一つのスラット材５０の傾斜角θｘと異なることを特徴としており、その他において他のいずれかの実施の形態と同一に構成され得る。例えば、採光システム５が適用される構造体２、開口ＯＰ、透光部材、採光システム５の採光シート２０、光制御具４０の支持具４１については、その変形例も含めて上述の第１の実施の形態と同一に構成され得る。以下の説明および以下の説明で用いる図面では、他の実施の形態と同様に構成され得る部分について、他の実施の形態における対応する部分に対して用いた符号と同一の符号を用いることとし、重複する説明を省略する。
【０２４４】
第６の実施の形態では、図２４及び図２５に示すように、或る一つのスラット材５０の傾斜角θｘは、少なくとも一部のスラット材５０のうちの他の一つのスラット材５０の傾斜角θｘと異なっている。すなわち、第１方向ｄ１に連続して配列された少なくとも一部のスラット材５０の間で、傾斜角θｘが一定ではない。さらには、第１方向ｄ１に連続して配列された少なくとも一部のスラット材５０のうちの或る一つのスラット材５０の傾斜角θｘは、少なくとも一部のスラット材５０のうちの他の一つのスラット材５０の傾斜角θｘと異なっている。すなわち、第１方向ｄ１に連続して配列された少なくとも一部のスラット材５０の間で、傾斜角θｘが一定ではない。
【０２４５】
ここで、傾斜角θｘ〔°〕とは、第１方向ｄ１と平行で第２方向ｄ２と直交する基準面において、各スラット材５０の両端部５３，５４を結ぶ方向ｄｘが第１方向ｄ１に直交する基準方向ｄｓに対してなす角度のことである。傾斜角θｘは、採光シート２０に近接する入光側となる第１端部５３が第１方向ｄ１における第１の側ｓ１に位置し且つ採光シート２０から離間する出光側となる第２端部５４が第１方向ｄ１における第２の側ｓ２に位置する場合に正の値をとり、第１端部５３が第１方向ｄ１における第２の側ｓ２に位置し且つ第２端部５４が第１方向ｄ１における第１の側ｓ１に位置する場合に負の値を取ることとする。また、第１方向ｄ１と平行で第２方向ｄ２と直交する基準面は、図２４および図２５に示された面であり、図１，図２及び図９〜図２３も基準面を示している。さらに、第１方向ｄ１に直交する基準方向ｄｓは、図示された例において、採光シート２０の法線方向ｎｄと一致する。
【０２４６】
また、第１方向ｄ１に連続して配列された少なくとも一部のスラット材５０のうちの任意に選択される一つのスラット材５０に関する傾斜角θｘの値は、少なくとも一部のスラット材５０のうちの当該一つのスラット材５０よりも第１方向ｄ１における第１の側ｓ１に位置する他の一つのスラット材５０に関する傾斜角θｘの値以上となることが好ましい。つまり、第１方向ｄ１に連続して配列された少なくとも一部のスラット材５０に関して、傾斜角θｘが、第１方向ｄ１における第２の側ｓ２から第１の側ｓ１に向けてしだいに小さくなっていくことが好ましい。
【０２４７】
ここで、第１方向ｄ１に連続して配列された少なくとも一部のスラット材５０とは、一例として、採光シート２０に正対する領域に位置する複数のスラット材５０とすることができる。この例において、一部のスラット材以外のスラット材５０は、採光シート２０に対面しておらず、遮光装置として機能し得る。したがって、傾斜角θｘは、後述するように採光効率を考慮して決定されるよりも、その遮光機能を重視して決定されるようにしてもよい。
【０２４８】
図２４に示す例において、光制御具４０は、三つの領域、すなわち第１領域ｚ１、第２領域ｚ２、第３領域ｚ３に区分けされている。第１領域ｚ１、第２領域ｚ２、第３領域ｚ３は、この順番にて、第１方向ｄ１に沿って第２の側ｓ２から第１の側ｓ１に向けて配置されている。各領域ｚ１，ｚ２，ｚ３は、複数のスラット材５０を含んでいる。各領域ｚ１，ｚ２，ｚ３内に含まれる複数のスラット材５０の間で、傾斜角θｘは互いに同一となっている。図２５は、図２４の各領域ｚ１，ｚ２，ｚ３内に含まれる二つのスラット材５０を示している。図２４及び図２５に示された例において、第１領域ｚ１内に含まれるスラット材５０の傾斜角θｘ１は、第２領域ｚ２内に含まれるスラット材５０の傾斜角θｘ２よりも大きく、また、第２領域ｚ２内に含まれるスラット材５０の傾斜角θｘ２は、第３領域ｚ３内に含まれるスラット材５０の傾斜角θｘ３よりも大きい。
【０２４９】
また、図２４及び図２５に示された採光システム５の光制御具４０に含まれる複数のスラット材５０は、どの領域ｚ１，ｚ２，ｚ３に属しているかに依らず、互いに同一の構成を有している。すなわち、第１領域ｚ１に含まれるスラット材５０、第２領域ｚ２に含まれるスラット材５０、及び、第３領域ｚ３に含まれるスラット材５０が、互いに同一の構成を有している。より具体的には、図２４及び図２５に示された採光システム５の光制御具４０に含まれる複数のスラット材５０の間で、第２方向ｄ２に直交する面でのスラット材５０の両端部５３，５４間の距離（当該スラット材の幅）ｈは一定であり、且つ、スラット材５０の配列ピッチｄも一定である。したがって、第４及び第５の実施の形態で説明した比の値α（α＝ｄ／ｈ）、すなわち、第２方向ｄ２に直交する面上での当該スラット材５０の両端部５３，５４間の距離（当該スラット材の幅）ｈに対するスラット材５０の第１方向ｄ１への配置ピッチｄの比の値（ｄ／ｈ）は、光制御具４０に含まれる複数のスラット材５０の間で互いに同一となっている。
【０２５０】
なお、第６の実施の形態においても、第１〜第５の実施の形態と同様に、複数スラットを支持する支持具４１は、ブラインド４４として構成され、スラット材５０の傾斜角θｘを調節可能としてもよい。この例において、第１領域ｚ１に属するスラット材５０の向きと、第２領域ｚ２に属するスラット材５０の向きと、第３領域ｚ３に属するスラット材５０の向きが、互いから独立して調節可能であってもよい。その一方で、一つの領域ｚ１，ｚ２，ｚ３に属する複数のスラット材５０の向きは互いに平行に維持されるようにしてもよい。
【０２５１】
次に、以上の構成からなる採光システム５及び光制御具４０の作用について説明する。
【０２５２】
既に第１の実施の形態において説明したように、採光シート２０は、第１空間ＳＡの側から入射してくる光を、その進行方向を跳ね上げるように変化させて、透過させる。図２４及び図２５に示すように、採光時、採光シート２０の出光側に位置するスラット材５０は、その板面が入光側となる第１端部５３の側よりも出光側となる第２端部５４の側で上方に位置するように傾斜した姿勢で、支持具４１によって保持されている。したがって、跳ね上げ光Ｌ２４１，Ｌ２５１，Ｌ２５３，Ｌ２５５は、光制御具４０のスラット材５０の間を通過することが可能となる。跳ね上げ光は、透光部材１０が設置された位置から離間した室内の奥側の領域まで到達することができる。
【０２５３】
また、図２４に示すように、採光シート２０での光路変更機能によって、光路を十分に跳ね上げられない光Ｌ２４２も発生し得る。既に説明したように、このような光Ｌ２４２は、眩しさの原因となる。光制御具４０は、眩しさの原因となる光Ｌ２４２を遮光し、防眩機能を発揮することも期待されている。すなわち、光制御具４０は、不所望な光Ｌ２４２に対して防眩機能を発揮しながら、跳ね上げ光Ｌ２４１，Ｌ２５１，Ｌ２５３，Ｌ２５５の第２空間ＳＢへの進行を許容し、これにより、太陽光を第２空間ＳＢに有効に取り組むことを期待されている。
【０２５４】
その一方で、既に第５の実施の形態において説明したように、更に鋭意検討を重ねた結果として、スラット材５０の配列方向である第１方向ｄ１における各位置または各領域において、透過すべき光および遮光すべき光が異なることを知見した。すなわち、開口ＯＰを観察する方向に依存して、スラット材５０の配列方向である第１方向ｄ１に沿った一方の側に寄った領域と、第１方向ｄ１における他方の側に寄った領域とで、透過すべき光および遮光すべき光が異なることが知見された。
【０２５５】
典型的には、図２４及び図２５に示すように、鉛直方向における上側となる領域、図示された例における第１領域ｚ１は、第２空間ＳＢに居る人の顔に正対しやすく、併せて、第２空間ＳＢに居る人の顔と第１空間ＳＡに位置する太陽とを結ぶ線分上に位置しやすい傾向にある。このため、当該領域から漏れ出す光は、僅かであっても、眩しく感じられる傾向が強い。図２４及び図２５に示された例では、採光シート２０で跳ね上げられなかった光Ｌ２４２，Ｌ２５２は眩しさの原因となりやすい。したがって、この領域に対面するスラット材５０は、水平方向に対して大きく傾斜しない方向に進む光を遮蔽することが好ましい。
【０２５６】
その一方で、図２４及び図２５に示すように、鉛直方向において第１領域ｚ１からしだいに離間するにつれて、漏れ光が眩しさに与える影響は小さくなる。図２４及び図２５に示された例では、採光シート２０で跳ね上げられなかった光Ｌ２５４，Ｌ２５６は眩しさの原因とはなりにくい。したがって、のぞき見防止等の必要性がなければ、採光を重視して、水平方向に対して大きく傾斜しない方向に進む光も含めて光を積極的に取り込むようにすることが好ましい。
【０２５７】
このような知見に基づき、第６の実施の形態では、第１方向ｄ１と平行で第２方向ｄ２と直交する基準面において各スラット材５０の両端部５３，５４を結ぶ方向ｄｘが第１方向ｄ１に直交する基準方向ｄｓに対してなす角度を傾斜角θｘとして、或る一つのスラット材５０の傾斜角θｘは、他の少なくとも一つのスラット材５０の傾斜角θｘと異なっている。
【０２５８】
ここで、跳ね上げ光Ｌ２４１，Ｌ２５１，Ｌ２５３，Ｌ２５５を取り込みながら防眩機能を確保するには、スラット材５０の傾斜角θｘを大きくすることが有効となる。傾斜角θｘを大きくすることで、跳ね上げ光Ｌ２４１，Ｌ２５１，Ｌ２５３，Ｌ２５５の光路とは異なる方向に進む光Ｌ２４２，Ｌ２５２は、スラット材５０によってその光路を遮られやすくなる。一方、採光量を増大させるためには、スラット材５０の傾斜角θｘを０°に近づけることが有効となる。このような調整により、跳ね上げ光Ｌ２４１，Ｌ２５１，Ｌ２５３，Ｌ２５５の光路とは異なる方向に進む光Ｌ２４３，Ｌ２５４，Ｌ２５６も、スラット材５０の間を通過しやすくなる。
【０２５９】
すなわち、採光システム５の設置状況に応じて第１方向ｄ１に沿った各位置での採光機能および防眩機能を調節することができる。これにより、採光システム５全体として採光機能および防眩機能の両方を改善することができる。
【０２６０】
また、第１方向ｄ１に連続して配列された少なくとも一部のスラット材５０のうちの、任意に選択される一つのスラット材５０に関する傾斜角θｘの値は、少なくとも一部のスラット材５０のうちの当該一つのスラット材５０よりも第１方向ｄ１における第１の側ｓ１に位置する他の一つのスラット材５０に関する傾斜角θｘの値以上となっていることが好ましい。このような光制御具４０によれば、傾斜角θｘが第１方向ｄ１における第１の側ｓ１から第２の側ｓ２へ向けてしだいに小さくなっていく。
【０２６１】
この採光システム５によれば、スラット材５０の構成や上述した比の値αを一定としながら、採光シート２０の法線方向ｎｄに対して大きく傾斜しない方向に進む光の取り込み効率を、第１方向ｄ１における第１の側ｓ１から第２の側ｓ２へ向けてしだいに低下させることできる。したがって、光制御具４０の第１方向ｄ１における最も第２の側ｓ２となる領域に人の顔が正対する場合に、当該人が感じる眩しさを効果的に低減しながら、全体としての採光効率を効果的に改善することができる。
【０２６２】
なお、この変化は、図２４及び図２５に示された例のように段階的であってもよいし、図２４及び図２５に示された例とは異なり連続的であってもよいし、段階的と連続的の組み合わせであってもよい。また、段階的に変化する場合には、傾斜角θｘの変化は、二段階で変化するようにしてもよいし、三段階以上で変化するようにしてもよい。
【０２６３】
具体的な適用として、図２４に示す例のように、スラット材５０が鉛直方向に配列される場合には、上側に位置するスラット材５０の傾斜角θｘを大きくし、下側に向かうにつれて傾斜角θｘを小さくしていくことが好ましい。このような適用によれば、眩しさを効果的に抑制しながら、採光を効率的に行うことができる。図２５において、光Ｌ２５２，Ｌ２５４，Ｌ２５６は、同一方向に進む光である。このうち、漏れ光が眩しさに強い影響を与え得る第１領域ｚ１から射出する光Ｌ２５２は、スラット材５０によって光路を遮蔽されている。その一方で、漏れ光が眩しさに影響を与えにくい第２領域ｚ２及び第３領域ｚ３から射出する光Ｌ２５４，Ｌ２５６は、跳ね上げ光Ｌ２５１，Ｌ２５３，Ｌ２５５とともに、スラット材５０に間を通過することが許容されている。
【０２６４】
以上に説明したように、第６の実施の形態において、採光システム５の光制御具４０は、入射光の進行方向を第１方向ｄ１における第１の側ｓ１から第２の側ｓ２へ変えて透過させる採光シート２０に対面して配置される。光制御具４０は、第１方向ｄ１に配列された複数のスラット材５０を有している。各スラット材５０は、第１方向ｄ１と非平行な第２方向ｄ２に延びている。そして、第１方向ｄ１と平行で第２方向ｄ２と直交する基準面において各スラット材５０の両端部５３，５４を結ぶ方向が第１方向ｄ１に直交する方向に対してなす角度を傾斜角θｘとすると、或る一つのスラット材５０の傾斜角θｘは、他の少なくとも一つのスラット材５０の傾斜角θｘと異なっている。
【０２６５】
採光シート２０での光路変更機能により、採光シート２０を透過した光の一部Ｌ２４１，Ｌ２５１，Ｌ２５３，Ｌ２５５が進行方向を跳ね上げられる。この跳ね上げ光Ｌ２４１，Ｌ２５１，Ｌ２５３，Ｌ２５５は、第２空間（例えば屋内）ＳＢの奥の領域まで到達することができる。これにより、外光を第２空間ＳＢに有効に取り組むことが可能となる。その一方で、採光シート２０を透過する光には、進行方向を十分に跳ね上げられることなく、採光シートの法線方向、典型的には水平方向に対して大きく傾斜しない方向に進む光Ｌ２４２，Ｌ２４３，Ｌ２５２，Ｌ２５４，Ｌ２５６も含まれる。このような光Ｌ２４２，Ｌ２４３，Ｌ２５２，Ｌ２５４，Ｌ２５６が、跳ね上げ光とともにスラット材５０の間を通過して正対する方向から観察されると、非常に眩しく感知されることになる。ただし、正対する方向から観察しなければ、採光に有効に利用され得る光となる。つまり、採光シート２０の法線方向ｎｄに対して大きく傾斜しない方向に進む光は、光制御具４０の或る領域において遮蔽されることが好ましく、光制御具４０の他の領域において透過されることが好ましい。
【０２６６】
これに対して本実施の形態では、第１方向ｄ１と平行で第２方向ｄ２と直交する基準面において各スラット材５０の両端部５３，５４を結ぶ方向が第１方向ｄ１に直交する方向に対してなす角度を傾斜角θｘとすると、或る一つのスラット材５０の傾斜角θｘは、他の少なくとも一つのスラット材５０の傾斜角θｘと異なっている。したがって、傾斜角θｘを操作することで、スラット材５０の構成を第１方向ｄ１に沿った各領域ｚ１，ｚ２，ｚ３において一定または概ね一定に保ちながら、採光シート２０の法線方向ｎｄに対して大きく傾斜しない方向に進む光をどの程度遮蔽するかを調節することができる。具体的には、傾斜角θｘを大きくすることで、スラット材５０の構成を一定又は概ね一定に保ちながら、採光シート２０の法線方向ｎｄに対して大きく傾斜しない方向に進む光を通しにくくすることができ、傾斜角θｘを小さくすることで、スラット材５０の構成を一定又は概ね一定に保ちながら、採光シート２０の法線方向ｎｄに対して大きく傾斜しない方向に進む光を通しやすくすることができる。
【０２６７】
なお、上述してきた第６の実施の形態に対して様々な変更を加えることが可能である。例えば、第１〜第５の実施の形態と同様に、採光シート２０の構成を適宜変更してもよいし、採光システム５が適用される構造体２、開口ＯＰ、透光部材の構成を適宜変更してもよいし、支持具４１の構成を適宜変更してもよい。また、第１〜第５の実施の形態と同様に、透光部材、採光シート２０及び光制御具４０が、組立キット４を構成して、この組立キット４の単位で取り扱われるようにしてもよい。
【０２６８】
また、第１の実施の形態で説明した光拡散反射性を、第６の実施の形態のスラット材５０の第１面５１が有するようにしてもよい。また、第２の実施の形態で説明した光拡散透過性を、第６の実施の形態のスラット材５０が有するようにしてもよい。さらに、第３の実施の形態で説明した反射率の関係を、第６の実施の形態に適用するようにしてもよい。さらに、第４の実施の形態で説明した比の値αを０．７５以下とする構成を、第６の実施の形態に適用するようにしてもよいし、第５の実施の形態で説明した比の値αを変化させる構成を、第６の実施の形態に適用するようにしてもよい。
【符号の説明】
【０２６９】
１     建物
２     構造体
３     重ね窓
４     組立キット
５     採光システム
１０   透光部材
１１   第１透光部材
１２   第２透光部材
１６   枠部材
１７   枠体
２０   採光シート
２１   光制御層
２２   第１部分
２３   第２部分
２３ａ 主部
２３ｂ 機能性含有物
２４   ベース部分
２５   光制御層本体
２５ａ 溝
２６   底面
２７   第１側面
２７ａ 急斜面
２７ｂ 緩斜面
２８   第２側面
２９   基材層
３１   本体部３１
３２   単位プリズム
３３   プリズム面
３３ａ 第１プリズム面
３３ｂ 第２プリズム面
３４   本体部
３５   クレーズ
３５ａ 樹脂フィブリル
３５ｂ 空隙
３６   本体部
３６ａ 切り込み
３７   反射部
３７ａ 上面
４０   光制御具
４１   支持具
４４   ブラインド
４５   取付ボックス
４６   操作グリップ
４７   ラダーコード
４８   昇降コード
５０   スラット材
５０Ｘ スラット材
５１   第１面
５２   第２面
５３   第１端部
５４   第２端部
ｄ１   第１方向
ｄ２   第２方向
ｓ１   第１の側
ｓ２   第２の側
ｎｄ   法線方向
ＯＰ   開口
Ｗ     壁
Ｃ     天井
Ｆ     床
ｚ１   第１領域
ｚ２   第２領域
ｚ３   第３領域
θｘ   傾斜角
ｄｘ   方向
ｄｓ   方向
ＳＡ   第１空間
ＳＢ   第２空間
ｕａ   上方領域
ｌａ   下方領域
【図１】
2019039151.tif 000005
【図２】
2019039151.tif 000006
【図３】
2019039151.tif 000007
【図４】
2019039151.tif 000008
【図５】
2019039151.tif 000009
【図６】
2019039151.tif 000010
【図７】
2019039151.tif 000011
【図８】
2019039151.tif 000012
【図９】
2019039151.tif 000013
【図１０】
2019039151.tif 000014
【図１１】
2019039151.tif 000015
【図１２】
2019039151.tif 000016
【図１３】
2019039151.tif 000017
【図１４】
2019039151.tif 000018
【図１５】
2019039151.tif 000019
【図１６】
2019039151.tif 000020
【図１７】
2019039151.tif 000021
【図１８】
2019039151.tif 000022
【図１９】
2019039151.tif 000023
【図２０】
2019039151.tif 000024
【図２１】
2019039151.tif 000025
【図２２】
2019039151.tif 000026
【図２３】
2019039151.tif 000027
【図２４】
2019039151.tif 000028
【図２５】
2019039151.tif 000029